(57)【要約】【課題】蒸気圧縮式冷凍サイクルを用いて暖房を行う空気調和機における冷風感の抑制と室温上昇の促進を図る。【解決手段】室内熱交換器１６は、蒸気圧縮式冷凍サイクルにおいて冷媒と室内空気との熱交換を行う。室内ファン３１は、室内熱交換器で熱交換された調和空気を室内に吹出させるときの風量を変更可能に構成されている。空気調和機１は、暖房開始時に、室内熱交換器１６の温度が第１温度になるまで室内ファン３１の風量を制限する第１冷風抑制制御と、第１温度よりも低い第２温度になったときに室内ファン３１の風量の制限を解除する第２冷風抑制制御とを有する。【選択図】図２
2018128157.tif 000002
【特許請求の範囲】
【請求項１】
蒸気圧縮式冷凍サイクルにおいて冷媒と室内空気との熱交換を行う室内熱交換器（１６）と、
前記室内熱交換器で熱交換された調和空気を室内に吹出させるときの風量を変更可能に構成されている室内ファン（３１）と
を備え、
暖房開始時に、前記室内熱交換器の温度が第１温度になるまで前記室内ファンの風量を制限する第１冷風抑制制御と、前記第１温度よりも低い第２温度になったときに前記室内ファンの風量の制限を解除する第２冷風抑制制御とを有する、空気調和機。
【請求項２】
前記第１冷風抑制制御と前記第２冷風抑制制御とを予め設定されている選択条件に応じて選択する、
請求項１に記載の空気調和機。
【請求項３】
前記選択条件は、目標室温と室温との差が閾値より大きいという条件を、前記第２冷風抑制制御を選択するための条件として含む、
請求項２に記載の空気調和機。
【請求項４】
前記室内ファンから吹出される調和空気の吹き出し方向をスイングすることができるように構成されたフラップ（６３，６４，６５）をさらに備え、
前記選択条件は、前記フラップがスイングをしていないという条件を、前記第２冷風抑制制御を選択するための条件として含む、
請求項２又は請求項３に記載の空気調和機。
【請求項５】
前記室内ファンから吹出される調和空気の上下方向の吹き出しを変更することができるように構成された水平フラップ（６４，６５）をさらに備え、
前記選択条件は、前記水平フラップが所定の角度よりも上に向いているという条件を、前記第２冷風抑制制御を選択するための条件として含む、
請求項２から４のいずれか一項に記載の空気調和機。
【請求項６】
前記選択条件は、前記水平フラップの所定の角度が、調和空気が水平方向または水平方向よりも上に吹出される角度である、
請求項５に記載の空気調和機。
【請求項７】
前記選択条件は、前記水平フラップの所定の角度が、吹出された調和空気が天井に沿う角度である、
請求項５に記載の空気調和機。
【請求項８】
前記室内熱交換器の温度が前記第２温度よりも低い第３温度になったときに前記室内ファンの風量の制限を解除する第３冷風抑制制御をさらに有する、
請求項１から７のいずれか一項に記載の空気調和機。
【発明の詳細な説明】
【技術分野】
【０００１】
本発明は、空気調和機、特に、蒸気圧縮式冷凍サイクルを用いて暖房を行う空気調和機に関する。
【背景技術】
【０００２】
蒸気圧縮式冷凍サイクルを用いて暖房を行う空気調和機が暖房運転を開始するときには、空気調和機の室内熱交換器が暖まるまで、空気調和機の室内機から吹出される調和空気が暖房運転開始時点の室温とほぼ同じ低温状態になる。このような低温状態の調和空気や調和空気に巻き込まれた室内空気が室内に居るユーザに当たると、ユーザが冷風の吹き出しを感じてしまうことになる。暖房運転開始直後に空気調和機から吹出される冷風によって、ユーザが寒さを感じるのを防ぐために、例えば特許文献１（特開平９-３０３８４４号公報）に記載されている空気調和機では、吹き出される調和空気の温度が上昇するまでは送風ファンの吹出し風量を制限している。
【発明の概要】
【発明が解決しようとする課題】
【０００３】
しかしながら、特許文献１に記載されているように、暖房運転開始時に吹出し風量を制限すると、室内の気温の上昇も抑制されてしまい、室内が暖まるのに時間が掛かってしまう。
【０００４】
本発明の課題は、蒸気圧縮式冷凍サイクルを用いて暖房を行う空気調和機における冷風感の抑制と室温上昇の促進を図ることである。
【課題を解決するための手段】
【０００５】
本発明の第１観点に係る空気調和機は、蒸気圧縮式冷凍サイクルにおいて冷媒と室内空気との熱交換を行う室内熱交換器と、室内熱交換器で熱交換された調和空気を室内に吹出させるときの風量を変更可能に構成されている室内ファンとを備え、暖房開始時に、室内熱交換器の温度が第１温度になるまで室内ファンの風量を制限する第１冷風抑制制御と、第１温度よりも低い第２温度になったときに室内ファンの風量の制限を解除する第２冷風抑制制御とを有する。
【０００６】
第１観点に係る空気調和機では、室内熱交換器の温度が第１温度になるまで室内ファンの風量を制限する第１冷風抑制制御と、室内熱交換器の温度が第１温度よりも低い第２温度になったときに室内ファンの風量の制限を解除する第２冷風抑制制御とを有することから、冷風感の抑制を優先したい状況では第１冷風抑制制御を用い、室温上昇の促進を優先したい状況では第２冷風抑制制御を用いることができる。
【０００７】
本発明の第２観点に係る空気調和機は、第１観点に係る空気調和機において、第１冷風抑制制御と第２冷風抑制制御とを予め設定されている選択条件に応じて選択する、ものである。
【０００８】
第２観点に係る空気調和機では、第１冷風抑制制御と第２冷風抑制制御とが選択条件に応じて選択されることから、冷風感の抑制を優先したい状況で第１冷風抑制制御が選択され、室温上昇の促進を優先したい状況で第２冷風抑制制御が選択されるように選択条件を予め設定することができる。
【０００９】
本発明の第３観点に係る空気調和機は、第２観点に係る空気調和機において、選択条件は、目標室温と室温との差が閾値より大きいという条件を、第２冷風抑制制御を選択するための条件として含む、ものである。
【００１０】
第３観点に係る空気調和機では、選択条件が、目標室温と室温との温度差が閾値より大きいという条件を、第２冷風抑制制御を選択するための条件として含むことから、温度差が小さくて能力要求が小さい時には第２冷風抑制制御が行われないような構成となる。
【００１１】
本発明の第４観点に係る空気調和機は、第２観点または第３観点に係る空気調和機において、室内ファンから吹出される調和空気の吹き出し方向をスイングすることができるように構成されたフラップをさらに備え、選択条件は、フラップがスイングをしていないという条件を、第２冷風抑制制御を選択するための条件として含む、ものである。
【００１２】
第４観点に係る空気調和機では、選択条件が、フラップがスイングをしていないという条件を、第２冷風抑制制御を選択するための条件として含むことから、フラップがスイングして広範囲に調和空気を吹出しているときには第２冷風抑制制御が行われないので、室内にユーザが居るときに第２冷風抑制制御が行われたとしてもユーザに調和空気が直接当たるのを抑制することができる。また、もし第２冷風抑制制御を選択するためにスイングを止めると故障が発生したとのユーザの誤解を招く可能性が高くなるが、そのような誤解を起こさせないようにすることができる。
【００１３】
本発明の第５観点に係る空気調和機は、第２観点から第４観点のいずれかに係る空気調和機において、室内ファンから吹出される調和空気の上下方向の吹き出しを変更することができるように構成された水平フラップをさらに備え、選択条件は、水平フラップが所定の角度よりも上に向いているという条件を、第２冷風抑制制御を選択するための条件として含む、ものである。
【００１４】
第５観点に係る空気調和機では、選択条件が、水平フラップが所定の角度よりも上に向いているという条件を、第２冷風抑制制御を選択するための条件として含むことから、所定の角度以下の時には第２冷風抑制制御が行われないので、所定の角度を室内に居るユーザに調和空気が当たらないように設定しておくことで、室内にユーザが居るときに第２冷風抑制制御が行われたとしてもユーザに調和空気が直接当たるのを抑制することができる。
【００１５】
本発明の第６観点に係る空気調和機は、第５観点に係る空気調和機において、選択条件は、水平フラップの所定の角度が、調和空気が水平方向または水平方向よりも上に吹出される角度である、ものである。
【００１６】
第６観点に係る空気調和機では、第２冷風抑制制御が行われるときに、調和空気が水平方向または水平方向よりも上に吹出されるので、室内にユーザが居るときに第２冷風抑制制御が行われたとしてもユーザに調和空気が直接当たるのを抑制することができる。
【００１７】
本発明の第７観点に係る空気調和機は、第５観点に係る空気調和機において、選択条件は、水平フラップの所定の角度が、吹出された調和空気が天井に沿う角度である、ものである。
【００１８】
第７観点に係る空気調和機では、第２冷風抑制制御が行われるときには、吹出された調和空気が天井に沿うので、立ち上がったユーザが室内に居るときに第２冷風抑制制御が行われたとしてもユーザに調和空気が直接当たるのを抑制することができる。
【００１９】
本発明の第８観点に係る空気調和機は、第１観点から第７観点のいずれかに係る空気調和機において、室内熱交換器の温度が第２温度よりも低い第３温度になったときに室内ファンの風量の制限を解除する第３冷風抑制制御をさらに有する、ものである。
【００２０】
第８観点に係る空気調和機では、室内熱交換器の温度が第２温度よりも低い第３温度になったときに室内ファンの風量の制限を解除する第３冷風抑制制御をさらに有するので、第２冷風抑制制御よりもさらに室温上昇の促進を優先したい状況では第３冷風抑制制御を用いて早急に室温の上昇を図ることができる。
【発明の効果】
【００２１】
本発明の第１観点に係る空気調和機では、冷風感の抑制と室温上昇の促進を図ることができる。
【００２２】
本発明の第２観点に係る空気調和機では、冷風感の抑制と室温上昇の促進を容易に実現することができる。
【００２３】
本発明の第３観点に係る空気調和機では、既に室内が暖かくて早急に暖める必要性の小さいときに第２冷風抑制制御を行わないことによって冷風感の抑制の効果を向上させることができる。
【００２４】
本発明の第４観点に係る空気調和機では、第２冷風抑制制御において、故障と誤解されるフラップの動き及び冷風感を増すフラップの動きを抑制することができる。
【００２５】
本発明の第５観点から第７観点のいずれかに係る空気調和機では、冷風感の抑制機能を向上させることができる。
【００２６】
本発明の第８観点に係る空気調和機では、室温上昇を促進する機能が向上する。
【図面の簡単な説明】
【００２７】
【図１】実施形態に係る空気調和機の外観を示す斜視図。
【図２】実施形態に係る空気調和機の構成の概要を示す回路図。
【図３】水平フラップが天井気流の風向選択時の位置にある室内機の断面図。
【図４】空気調和機の制御系統の構成の概要を示すブロック図。
【図５】水平フラップが上吹きの風向選択時の位置にある室内機の断面図。
【図６】水平フラップが垂直気流の風向選択時の位置にある室内機の断面図。
【図７】上下方向の風向の違いを説明するために室内と室内機を示した概念図。
【図８】第１冷風抑制制御及び第２冷風抑制制御について説明するためのフローチャート。
【図９】変形例１Ａにおける第２冷風抑制制御及び第３冷風抑制制御について説明するためのフローチャート。
【図１０】変形例１Ｂに係る空気調和機の構成の概要を示す回路図。
【図１１】変形例１Ｂに係る空気調和機の制御系統の概略構成を示すブロック図。
【図１２】変形例１Ｃにおける第１冷風抑制制御及び第２冷風抑制制御について説明するためのフローチャート。
【発明を実施するための形態】
【００２８】
（１）全体構成
本発明の一実施形態に係る空気調和機の構成の概要について図１及び図２を用いて説明する。図１に示されている空気調和機１は、室内の壁面ＷＬなどに取り付けられる室内機３と、屋外に設置される室外機２とを備えている。なお、図１においては、室外機２が壁面ＷＬを挟んで室内機３とは反対側の屋外にあることから、室外機２が破線で示されている。図２には、空気調和機１の回路構成が示されている。この空気調和機１は、冷媒回路１０を備えており、冷媒回路１０の中の冷媒を循環させることにより蒸気圧縮式冷凍サイクルを実行することができる。冷媒が循環する冷媒回路１０を形成するために、連絡配管４によって、室内機３と室外機２が接続されている。また、図４に示されているように、空気調和機１は、内部の機器を制御するために制御部５０を備えている。空気調和機１には、リモートコントローラ５が付属しており、このリモートコントローラ５は、例えば赤外線を用いて制御部５０と通信する機能を持っている。ユーザは、このリモートコントローラ５を用いて空気調和機１に対して種々の設定を行うことができる。
【００２９】
（１−１）冷媒回路１０
冷媒回路１０は、圧縮機１１と、室外熱交換器１３と、膨張機構１４と、アキュムレータ１５と、室内熱交換器１６とを備えている。圧縮機１１は、吸入口から冷媒を吸入し、内部で圧縮した冷媒を吐出口から室内熱交換器１６に対して吐出する。圧縮機１１は、インバータによる回転数制御を行う容量可変のインバータ圧縮機である。圧縮機１１の運転周波数が高くなるほど冷媒循環量が多くなり、逆に運転周波数が低くなると冷媒循環量が減少する
室外熱交換器１３は、アキュムレータ１５を介して圧縮機１１の吸入口との間で冷媒を流通させるための第１出入口を有するとともに、膨張機構１４との間で冷媒を流通させるための第２出入口を有している。室外熱交換器１３は、室外熱交換器１３の第２出入口と第１出入口との間に接続された伝熱管（図示せず）を流れる冷媒と室外空気との間で熱交換を行わせる。
【００３０】
膨張機構１４は、室外熱交換器１３と室内熱交換器１６との間に配置されている。膨張機構１４は、室外熱交換器１３と室内熱交換器１６の間を流れる冷媒を膨張させて減圧する機能を有している。膨張機構１４は、開度を変更することができるように構成されており、開度を小さくすることにより膨張機構１４を通過する冷媒の流路抵抗が増加し、開度を大きくすることにより膨張機構１４を通過する冷媒の流路抵抗が減少する。このような膨張機構１４は、暖房運転中は、室内熱交換器１６から室外熱交換器１３に向かって流れる冷媒を膨張させて減圧する。また、冷媒回路１０に取り付けられている他の機器の状態が変化しなくても、膨張機構１４の開度が変化すると、冷媒回路１０を流れる冷媒の流量は変化する。
【００３１】
室内熱交換器１６は、膨張機構１４との間で液冷媒を流通させるための第２出入口を有するとともに、圧縮機１１の吐出口との間でガス冷媒を流通させるための第１出入口を有している。室内熱交換器１６は、室内熱交換器１６の第２出入口と第１出入口との間に接続された伝熱管１６ｂ（図３参照）を流れる冷媒と室内空気との間で熱交換を行わせる。
【００３２】
室外熱交換器１３と圧縮機１１の吸入口との間には、アキュムレータ１５が配置されている。アキュムレータ１５では、室外熱交換器１３から圧縮機１１に流れる冷媒がガス冷媒と液冷媒とに分離される。そして、アキュムレータ１５から圧縮機１１の吸入口には主にガス冷媒が供給される。
【００３３】
室外機２は、伝熱管を流れる冷媒と室外空気との熱交換を促進するため、室外熱交換器１３を通過する室外空気の気流を発生させる室外ファン２１を備えている。この室外ファン２１は、回転数を変更できる室外ファンモータ２１ａによって駆動される。また、室内機３は、伝熱管１６ｂを流れる冷媒と室内空気との熱交換を促進するため、室内熱交換器１６を通過する室内空気の気流を発生させる室内ファン３１を備えている。この室内ファン３１は、回転数を変更できる室内ファンモータ３１ａによって駆動される。
【００３４】
（１−２）室内機３の構成
図３に示されているように、室内機３は、上述の室内熱交換器１６と室内ファン３１以外に、ケーシング６１と、エアフィルタ６２と、複数の垂直フラップ６３と水平フラップ６４，６５とを備えている。
【００３５】
（１−２−１）ケーシング６１
ケーシング６１は、長手方向（以下においては左右方向ともいう）に細長く延びて複数の開口を持つ箱形状を呈する。ケーシング６１の天面部には吸込口７１が設けられている。室内ファン３１が駆動することによって、この吸込口７１近傍の室内空気が、この吸込口７１からケーシング６１の内部へと取り込まれる。吸込口７１から取り込まれた室内空気は、ケーシング６１の天面部に設けられているエアフィルタ６２を通過し、さらに室内熱交換器１６を通過して室内ファン３１へと送られる。ケーシング６１の底面部には、吹出口７２が形成されている。吹出口７２は、室内ファン３１から続くスクロール流路７２ｂによってケーシング６１の内部と繋がっている。吸込口７１から吸い込まれ室内空気は、室内熱交換器１６にて熱交換された後、スクロール流路７２ｂを通って吹出口７２から室内ＲＳへと吹き出される。スクロール流路７２ｂの後ろ側には、流路下面７２ａが設けられている。流路下面７２ａの断面形状は、旋回するにつれて室内ファン３１の回転中心から遠ざかる曲線を描く。
【００３６】
（１−２−２）風向調整のための構成
吹出口７２には、左右方向に長く延びる２枚の水平フラップ６４，６５が設けられている。これら水平フラップ６４，６５は、ケーシング６１に回動可能に取り付けられている。水平フラップ６４，６５は、それぞれに対して設けられている水平フラップ駆動用モータ３７によってそれぞれ独立して、左右に延びるそれぞれの回転中心の周りで回動することができるように構成されている。これら水平フラップ駆動用モータ３７は、室内機３内に設けられている室内制御装置３５（図４参照）によって制御される。そして、これら水平フラップ６４，６５は、単独で又は互いに協力して、吹出口７２から吹出される空気の上下方向の風向きを調整する。
【００３７】
吹出口７２の奥には、左右方向に対して交差する平面を持つ複数の垂直フラップ６３が設けられている。垂直フラップ駆動用モータ３８（図４参照）によって、上下方向（左右方向と交差する方向）に延びる回転中心の周りで垂直フラップ６３が左右に回動することができるように構成されている。垂直フラップ６３を駆動する垂直フラップ駆動用モータ３８も、室内制御装置３５によって制御される。これら複数の垂直フラップ６３は、吹出口７２から吹出される空気の風向きを左右に調整する。
【００３８】
（１−２−３）室内熱交換器１６
室内熱交換器１６は、複数のフィン１６ａと、複数のフィン１６ａを貫く複数の伝熱管１６ｂとで構成されている。室内熱交換器１６は、室内機３の運転状態に応じて蒸発器または放熱器として機能し、伝熱管１６ｂの中を流れる冷媒と室内熱交換器１６を通過する空気との間で熱交換を行わせる。なお、ここではフィン１６ａと伝熱管１６ｂによって構成されている室内熱交換器１６について説明しているが、本発明で用いられる室内熱交換器１６は、フィンアンドチューブ式の熱交換器に限られるものではなく、例えば伝熱管１６ｂの代わりに扁平多穴管を使用した熱交換器を用いることもできる。
【００３９】
（１−２−４）室内ファン３１
室内ファン３１は、図３に示されているように、ケーシング６１の内部の略中央部分に位置している。この室内ファン３１は、室内機３の長手方向（左右方向）に細長い略円筒形状をしたクロスフローファンである。室内ファン３１が回転駆動されることによって、室内空気が吸込口７１から吸い込まれてエアフィルタ６２を通過した後に、室内熱交換器１６を通過することで生成された調和空気が吹出口７２から室内ＲＳへと吹出される。室内ファン３１は、室内ファンモータ３１ａの回転数に応じて回転し、回転数が大きくなるほど吹出口７２から吹出される調和空気の風量が多くなる。
【００４０】
（１−３）制御系統の構成の概要
図４に示されているように、制御部５０は、室外機２内に内蔵されている室外制御装置２６と室内機３内に内蔵されている室内制御装置３５とを有している。これら室外制御装置２６と室内制御装置３５とは、相互に信号線で接続され、互いに信号を送受信できるように構成されている。
【００４１】
室外機２の室外制御装置２６は、圧縮機１１、膨張機構１４及び室外ファン２１などを制御する。そのために、室外機２は、室外空気の温度を測定するための室外温度センサ２２と、室外熱交換器１３の特定の場所を流れる冷媒の温度を測定するための室外熱交換器温度センサ２３と、圧縮機１１から吐出される冷媒の温度を検出するための吐出管温度センサ２４と、圧縮機１１に吸入されるガス冷媒の温度を検出するための吸入管温度センサ２５とを備えている。そして、室外制御装置２６は、室外温度センサ２２乃至吸入管温度センサ２５が測定した温度に関する信号を受信するために、室外温度センサ２２乃至吸入管温度センサ２５に接続されている。この室外制御装置２６は、例えばＣＰＵ（図示せず）とメモリ２６ａを含んでおり、メモリ２６ａに記憶されているプログラムなどに従って室外機２の制御を行うことができる構成になっている。
【００４２】
室内機３の室内制御装置３５は、室内ファン３１などを制御する。そのために、室内機３は、室内空気の温度を測定するための室温センサ３２と、室内熱交換器１６の特定の場所を流れる冷媒の温度を測定するための室内熱交換器温度センサ３３とを備えている。そして、室内制御装置３５は、室温センサ３２及び室内熱交換器温度センサ３３が測定した温度に関する信号を受信するために、室温センサ３２及び室内熱交換器温度センサ３３に接続されている。この室内制御装置３５は、例えばＣＰＵ（図示せず）とメモリ３５ａを含んでおり、メモリ３５ａに記憶されているプログラムなどに従って室内機３の制御を行うことができる構成になっている。
【００４３】
リモートコントローラ５は、図１に示されている液晶表示装置５ａとボタン５ｂとを有している。図４に示されている運転スイッチ５１、温度設定スイッチ５２、風向設定スイッチ５３及び風量設定スイッチ５４などに対応するボタン５ｂを使ってユーザがこれらのスイッチの操作をすることができる。運転スイッチ５１は、空気調和機１の運転と停止とを切り換えるためのスイッチであって、運転スイッチ５１が操作される毎に運転と停止とが交互に切り換わる。温度設定スイッチ５２は、ユーザが望む室温を入力するために用いられるスイッチである。また、風向設定スイッチ５３は、風向に関する設定を行うためのスイッチである。風量設定スイッチ５４は、風量を入力するために用いられるスイッチである。
【００４４】
制御部５０は、温度設定スイッチ５２を用いて入力された設定温度Ｔｓに基づいて、目標室温Ｔｔを設定する。暖房運転では、例えば、設定温度Ｔｓに一定値α１を加えて得られる温度（Ｔｓ＋α１）を目標室温Ｔｔとする。あるいは、所定の関数ｆ１（ｘ）に従って計算された値β１を設定温度Ｔｓに加えて得られる温度（Ｔｓ＋β１）を目標室温Ｔｔとしてもよい。目標室温Ｔｔよりも室温Ｔｒが高くなれば、制御部５０は空気調和機１をサーモオフさせる。なお、制御部５０は、設定温度Ｔｓから一定値α２を差し引いて得られる温度（Ｔｓ−α２）よりも室温Ｔｒが低くなれば、制御部５０が空気調和機１をサーモオンさせる。あるいは、所定の関数ｆ２（ｘ）に従って計算された値β２を設定温度Ｔｓから差し引いて得られる温度（Ｔｓ−β１）よりも室温Ｔｒが低くなれば、制御部５０が空気調和機１をサーモオンさせるように設定されてもよい。サーモオン状態では圧縮機１１が駆動されていて冷媒による熱の移動があるが、サーモオフ状態では圧縮機１１が停止していて冷媒による熱の移動が停止されている。
【００４５】
制御部５０は、上述のような種々のセンサの測定値とリモートコントローラ５から入力される指令に基づき、空気調和機１を構成する種々の機器を制御する。また、制御部５０は、リモートコントローラ５の液晶表示装置５ａを用いて、入力された指令の状況及び制御の状況をユーザに報知する。
【００４６】
（２）風向調整
（２−１）手動設定
ユーザは、リモートコントローラ５の風向設定スイッチ５３を使って手動により垂直フラップ６３、水平フラップ６４，６５の位置を調整することができる。室内機３は、左右方向では、例えば「前吹き」、「右吹き」及び「左吹き」と呼ばれる風向を設定できる。例えば、「前吹き」の風向が選択されているとは、垂直フラップ６３が前後方向に延びる位置で停止して前方に向かって調和空気が吹出される。「右吹き」の風向が選択されていると、垂直フラップ６３が右に傾いている位置で停止して右方向に向かって調和空気が吹出される。「左吹き」の風向が選択されていると、垂直フラップ６３が左に傾いている位置で停止して左方向に向かって調和空気が吹出される。また、室内機３は、上下方向では、例えば「天井気流」、「上吹き」、「下吹き」及び「垂直気流」と呼ばれる風向を選択することができるように構成されている。「天井気流」の風向が選択されると、室内機３は、水平フラップ６４，６５の先端を最も上に向け、天井ＣＥに調和空気が沿って流れるように吹出口７２から図３に矢印Ａｒ１で示されている方向に調和空気を吹出す。「上吹き」の風向が選択されると、室内機３は、「天井気流」の風向の場合の水平フラップ６４,６５の位置よりも先端を少し下げ、図５に矢印Ａｒ２で示されているように、水平方向よりも上に向けた方向に調和空気を吹き出す。「下吹き」の風向が選択されると、室内機３は、水平方向よりも下に調和空気を吹き出す。「垂直気流」の風向が選択されると、室内機３は、図６に示されているように水平フラップ６４，６５の先端を最も下に向けて壁面ＷＬに沿って調和空気が流れるように調和空気を吹き出す。図７の矢印Ａｒ１で示された気流が、「天井気流」の風向選択時に生じる気流の例であり、矢印Ａｒ２で示された気流が、「上吹き」の風向選択時に生じる気流の例であり、矢印Ａｒ３で示された気流が、「下吹き」の風向選択時に生じる気流の例であり、矢印Ａｒ４で示された気流が、「垂直気流」の風向選択時に生じる気流の例である。なお、ここで上下方向において４つの異なる風向が選択可能な場合について説明しているが、上下方向において選択可能な風向の設定の仕方はこの例に限られるものではない。
【００４７】
（２−２）スイング設定
リモートコントローラ５の風向設定スイッチ５３により、垂直フラップ６３がスイングする状態を選択することができる。また、リモートコントローラ５の風向設定スイッチ５３により、水平フラップ６４，６５がスイングする状態を選択することができる。さらには、垂直フラップ６３と水平フラップ６４，６５がともにスイングする状態を選択することができる。
【００４８】
（２−３）自動設定
リモートコントローラ５の風向設定スイッチ５３を使って、制御部５０に風向設定を任せる風向自動モードを選択することができる。風向自動モードでは、メモリ３５ａに記憶されているプログラムに従って制御部５０により風向が自動的に設定される。
【００４９】
（３）風量調整
風量調整のモードには、自動設定と手動設定の２種類のモードが存在する。自動設定モードでは、メモリ３５ａに記憶されているプログラムに従って、制御部５０が自動的に風量を設定する。手動設定モードでは、ユーザがリモートコントローラ５の風量設定スイッチ５４を使って、例えば、５つの異なる風量を設定することができる。ここでは、風量が小さい方から順に第１風量、第２風量、第３風量、第４風量、そして第５風量と呼ぶ。
【００５０】
（４）暖房運転
空気調和機１の暖房運転のときは、圧縮機１１から吐出された高温高圧の冷媒は室内熱交換器１６に流れ込む。このとき、室内熱交換器１６は、放熱器として機能する。そのため、室内熱交換器１６の中を流れるに従って、冷媒は、室内空気との熱交換によって室内空気を暖めて自身が放熱して冷やされる。室内熱交換器１６で温度を奪われた低温高圧の冷媒は、膨張機構１４によって減圧されて低温低圧の冷媒に変化する。膨張機構１４を経て室外熱交換器１３に流れ込んだ冷媒は、室外空気との熱交換によって暖められる。このとき、室外熱交換器１３は、蒸発器として機能している。そして、室外熱交換器１３からアキュムレータ１５を介して、主に低温のガス冷媒が圧縮機１１に吸入される。
【００５１】
（４−１）第１冷風抑制制御及び第２冷風抑制制御
（４−１−１）第１冷風抑制制御及び第２冷風抑制制御の開始と制限解除と終了
第１冷風抑制制御及び第２冷風抑制制御について図８のフローチャートに沿って説明する。例えば、リモートコントローラ５の運転スイッチ５１を切り換えるボタン５ｂが押されて運転が開始されると（ステップＳ１）、制御部５０は、第１開始条件を満たしているか否かについて判断する（ステップＳ２）。第１開始条件は、第１冷風抑制制御又は第２冷風抑制制御の冷風抑制制御に入るか否かを判断するための条件である。第１開始条件を満たしていなければ、第１冷風抑制制御及び第２冷風抑制制御のいずれも行わない。そのため、第１開始条件が満たされていないときには、ステップＳ９に進む。第１条件を満たしているときには、次のステップＳ３に進み、第２開始条件を満たしているか否かを判断する。第２開始条件は、第１冷風抑制制御を行うか、第２冷風抑制制御を行うかを決めるための条件である。これら第１開始条件及び第２開始条件の内容については後述する。
【００５２】
ステップＳ３において第２開始条件が満たされていると判断されると、第２冷風抑制制御（ステップＳ４）に入って風量を制限する。通常は、第２冷風抑制制御に入った後に、第１開始条件及び第２開始条件が変更されることはないので、室内熱交換器１６の温度が第２温度になるまでは、ステップＳ２，Ｓ３，Ｓ４，Ｓ５のループの動作が繰り返され、第２冷風抑制制御を継続する。そして、室内熱交換器１６の温度が第２温度に達すると、ステップＳ５からステップＳ６に進み、第２冷風抑制制御の風量制限が解除される。風量制限が解除された後は、ステップＳ９に進み、第１冷風抑制制御及び第２冷風抑制制御を解除するか否かが判断される。
【００５３】
ステップＳ３において第２開始条件が満たされていないと判断されると、第１冷風抑制制御（ステップＳ７）に入って風量を制限する。通常は、第１冷風抑制制御に入った後に、第１開始条件及び第２開始条件が変更されることはないので、室内熱交換器１６の温度が第１温度になるまでは、ステップＳ２，Ｓ３，Ｓ７，Ｓ８のループの動作が繰り返される。そして、室内熱交換器１６の温度が第１温度に達すると、ステップＳ８からステップＳ６に進み、第１冷風抑制制御の風量制限が解除される。風量制限が解除された後は、ステップＳ９に進み、第１冷風抑制制御及び第２冷風抑制制御を解除するか否かが判断される。
【００５４】
ステップＳ９においては、制御部５０により、室温センサ３２の測定する室温Ｔｒが設定温度Ｔｓ付近の閾値温度Ｔｈを越えたか否かが判断される。閾値温度Ｔｈの設定は、設計事項であるが、例えば閾値温度Ｔｈを設定温度Ｔｓよりもγ度だけ低い値に設定される。この場合、制御部５０は、Ｔｒ＞（Ｔｓ−γ）を満たせば、冷風抑制制御を解除して（ステップＳ１０）、冷風抑制制御のルーチンを終了する。
【００５５】
通常は暖房運転が開始してそのまま暖房運転が継続されている場合には、室内熱交換器１６の温度は徐々に上がる。しかし、暖房運転開始後に目標室温Ｔｔに達する前に室内熱交換器１６の温度が下がることもあり得る。この空気調和機１においては、第１冷風抑制制御において室内熱交換器１６の温度が、第１温度以上に上がった後に、再び第１温度よりも下がったときには、一旦風量制限が解除された後であっても再び風量制限が掛かるように構成されている。同様に、第２冷風抑制制御において室内熱交換器１６の温度が、第２温度以上に上がった後に、再び第２温度よりも下がったときには、一旦風量制限が解除された後であっても再び風量制限が掛かるように構成されている。
【００５６】
ところで、上述の制御においては、第２温度が第１温度よりも低く設定されている。従って、第２冷風抑制制御において風量制限が解除される時の室内熱交換器１６の温度は、第１冷風抑制制御において風量制限が解除される時の室内熱交換器１６の温度よりも低くなっている。つまり、第２冷風抑制制御は、第１冷風抑制制御と比べて冷風感を抑制する効果よりも室温Ｔｒを上昇させる機能を優先している制御ということになる。その一方で、冷風感の抑制を確保するために、第２冷風抑制制御が行われる場合を、冷風感の抑制が容易になる、第２開始条件を満たす状態に限っている。
【００５７】
（４−１−２）第１開始条件
第１開始条件は、運転中であることを条件として含んでいる。例えば、運転中であることがＡＮＤ条件であり、運転中でなければ、他の条件を満たしていても第１開始条件は満たされない。第１開始条件は、圧縮機１１が駆動されていることを条件として含んでもよい。例えば、圧縮機１１が駆動されていることをさらにＡＮＤ条件として含んでいれば、運転中であり、且つ圧縮機１１が駆動されているときしか、冷風抑制制御が開始されることはない。また、第１開始条件は、予約された暖房運転でないことを条件として含んでもよい。例えば、予約された暖房運転でないことをさらにＡＮＤ条件として含んでいれば、運転中であり、圧縮機１１が駆動され、予約された暖房運転でないときしか、冷風抑制制御が開始されることはない。また、第１開始条件は、天井付近に暖気が集まっている暖気溜まりを取るための強制的な「天井気流」の選択ではないことを条件として含んでもよい。このような条件を含めることで、天井に沿う強い気流を発生させたいときに、風量が制限されるのを防止することができる。
【００５８】
（４−１−３）第２開始条件
第２開始条件は、水平フラップ６４，６５が所定の角度よりも上を向いていることを条件として含んでいる。例えば、図５に示されている風向が「上吹き」のときの水平フラップ６４，６５は、水平面に対する所定の角度Ａｎ１よりも上を向いている。従って、所定の角度Ａｎ１よりも上を向いていることを第２開始条件として含んでいれば、風向が「天井気流」及び「上吹き」の状態にあるときの水平フラップ６４，６５がこの条件を満たすことになる。
【００５９】
第２開始条件としての、水平フラップ６４，６５が所定の角度よりも上を向いていることという条件は、水平フラップ６４，６５の角度が調和空気を水平方向あるいは水平方向よりも上に吹き出される角度になっていることという条件にしてもよい。この場合には、「天井気流」の状態にあるときの水平フラップ６４，６５の角度が条件を満たすことになる。また、本実施形態の「上吹き」の状態においては、調和空気が水平方向または水平方向よりも上に吹き出されているので、「上吹き」の状態のときの水平フラップ６４，６５の角度もこの条件を満たすことになる。
【００６０】
あるいは、第２開始条件としての、水平フラップ６４，６５が所定の角度よりも上を向いていることという条件は、水平フラップ６４，６５の角度が、吹き出された調和空気が天井に沿う角度を水平方向あるいは水平方向よりも上に吹き出される角度になっていることという条件にしてもよい。この場合には、「天井気流」の状態にあるときの水平フラップ６４，６５の角度が条件を満たすことになる。
【００６１】
また、第２開始条件は、フラップがスイングをしていないという条件を含んでもよい。例えば、水平フラップ６４，６５と垂直フラップ６３がスイングしていないことをさらにＡＮＤ条件として含んでいれば、水平フラップ６４，６５と垂直フラップ６３がスイングしておらず、且つ水平フラップ６４，６５が所定の角度よりも上を向いているときしか、第２冷風抑制制御が開始されることはない。なお、フラップが複数ある場合には、特定の一部のフラップがスイングをしていないとき、例えば水平フラップ６４，６５のみがスイングしていないという条件を設定することができる。また、ラップが複数ある場合には、全てのフラップがスイングしていないという条件を設定することができる。
【００６２】
また、第２開始条件は、目標室温Ｔｔと室温Ｔｒとの差が閾値より大きいという条件を含んでもよい。例えば、目標室温Ｔｔと室温Ｔｒとの差が閾値より大きいことをさらにＡＮＤ条件として含んでいれば、水平フラップ６４，６５と垂直フラップ６３がスイングしておらず、水平フラップ６４，６５が所定の角度よりも上を向き、且つ目標室温Ｔｔと室温Ｔｒとの差が閾値より大きいときにしか、第２冷風抑制制御が開始されることはない。
【００６３】
（４−１−４）風量の制限及び解除
風量の制限の仕方としては、例えば、リモートコントローラ５の風量設定スイッチ５４でユーザが設定できる最も小さい第１風量に制限する方法がある。それ以外に、例えば、第１風量よりも小さい第１冷風抑制制御及び第２冷風抑制制御における専用の風量を設けてもよい。この場合、第１冷風抑制制御及び第２冷風抑制制御において風量制限が掛かっているときには、第１風量よりも小さい専用の風量に制限される。
【００６４】
風量の解除の仕方として最も簡単な方法は、第１冷風抑制制御も第２冷風抑制制御もそれぞれ第１温度と第２温度になったときに、第１風量から第５風量までの全ての風量を選択できるように一切の風量の制限を解除する方法である。それ以外にも次のような風量制限の解除の仕方がある。例えば、第１温度を複数設定し、第１ａ温度、第１ｂ温度、第１ｃ温度及び第１ｄ温度が第１温度に含まれるものとし、第１ａ温度＜第１ｂ温度＜第１ｃ温度＜第１ｄ温度とする。そして、第１ａ温度よりも室内熱交換器１６の温度が高くなったときに、第１風量と第２風量を選択できるように第１冷風抑制制御の一部の風量制限を解除する。また、第１ｂ温度よりも室内熱交換器１６の温度が高くなったときに、第１風量と第２風量と第３風量を選択できるように第１冷風抑制制御の一部の風量制限をさらに解除する。また、第１ｃ温度よりも室内熱交換器１６の温度が高くなったときに、第１風量から第４風量までを選択できるように第１冷風抑制制御の一部の風量制限をさらに解除する。最後に、第１ｄ温度よりも室内熱交換器１６の温度が高くなったときに、全ての風量制限をさらに解除する。このように、段階的に風量制限を解除するように構成してもよい。
【００６５】
第２冷風抑制制御についても、段階的に解除するように構成してもよい。例えば、第２温度を複数設定し、第２ａ温度及び第２ｂ温度が第２温度に含まれるものとし、第２ａ温度＜第２ｂ温度＜第１ａ温度＜第１ｂ温度＜第１ｃ温度＜第１ｄ温度とする。そして、第２ａ温度よりも室内熱交換器１６の温度が高くなったときに、第１風量から第３風量を選択できるように第２冷風抑制制御の一部の風量制限を解除する。さらに、第２ｂ温度よりも室内熱交換器１６の温度が高くなったときに、全ての第２冷風抑制制御の風量制限をさらに解除する。
【００６６】
なお、風量制限の解除には、ユーザが選択可能な風量、ここでは第１風量から第５風量の全てを一度に選択可能にする解除及び、段階的に選択可能な風量を増やしていって最後に全て選択可能にするような完全な解除だけでなく、一部のみしか選択可能にしないような部分的な解除も含まれる。なお、部分的な解除には、一度に一部のみを選択可能にして終了する解除だけでなく、段階的に選択可能な風量を増やして行くがしかし最後まで選択できない風量を残すような解除の仕方も含まれる。
【００６７】
（５）特徴
（５−１）
上記実施形態の空気調和機１では、室内熱交換器１６が第１温度になるまで室内ファン３１の風量を制限する第１冷風抑制制御と、第１温度よりも低い第２温度になったときに室内ファン３１の風量の制限を解除する第２冷風抑制制御とを有している。そして、制御部５０は、冷風感の抑制を優先したい状況では第１冷風抑制制御を用い、室温上昇の促進を優先したい状況では第２冷風抑制制御を用いることができるように構成されている。そのため、第１冷風抑制制御を用いることで冷風感の抑制を図ることを優先することができ、第２冷風抑制制御を用いることで室温上昇の促進を図ることを優先することができる。その結果、従来に比べて、本実施形態の空気調和機１では、冷風感の抑制と室温上昇の促進の効果が向上している。
【００６８】
上記実施形態では、室内熱交換器１６が第１温度になるまで室内ファン３１の風量を制限する第１冷風抑制制御の例として、第１温度で風量の制限が解除される場合について説明した。しかし、第１冷風抑制制御は、室内熱交換器１６が第１温度になるまで室内ファン３１の風量が制限される制御であればよく、第１温度で風量の制限が解除される制御に限られるものではない。
【００６９】
（５−２）
第１冷風抑制制御と第２冷風抑制制御とが、第２開始条件という選択条件に応じて選択されることから、冷風感の抑制を優先したい状況で第１冷風抑制制御が選択され、室温上昇の促進を優先したい状況で第２冷風抑制制御が選択されるように選択条件を予め設定することができている。例えば、水平フラップ６４，６５が「天井気流」の風向が選択された状態でないときには第１冷風抑制制御が選択され、水平フラップ６４，６５が「天井気流」の風向が選択された状態で且つ他の第２開始条件を満たしているときには第２冷風抑制制御が選択される。水平フラップ６４，６５が「天井気流」の風向が選択された状態であって、十分に冷風感の抑制ができるときには比較的冷たい調和空気が吹き出す第２冷風抑制制御によって風量制限を低い温度で解除し、水平フラップ６４，６５が「天井気流」の風向に対応しない状態であって、十分な冷風感の抑制がし難いときには第１冷風抑制制御によって風量制限を高い温度で解除するという選択ができている。その結果、冷風感の抑制と室温上昇の促進を容易に実現することができている。
【００７０】
（５−３）
選択条件である第２開始条件が、目標室温Ｔｔと室温Ｔｒとの温度差（Ｔｔ−Ｔｒ）が閾値より大きいという条件を、第２冷風抑制制御を選択するための条件として含む場合には、温度差が小さくて能力要求が小さい時には第２冷風抑制制御が行われないような構成となる。温度差（Ｔｔ−Ｔｒ）が小さいときには、ユーザは、速く室温Ｔｒを上げたいという欲求が小さくなる。このように、既に室内ＲＳが暖かくて早急に暖める必要性の小さいときに第２冷風抑制制御を行わないことによって、冷風感の抑制の効果を向上させることに重点を置くことができ、ユーザの快適性を向上させることができている。
【００７１】
（５−４）
例えば水平フラップ６４，６５がスイングをしていないという条件を、第２冷風抑制制御を選択するための選択条件である第２開始条件として含む場合には、水平フラップ６４，６５がスイングして広範囲に吹出しているときには第２冷風抑制制御が行われない。このような制御によって、室内ＲＳにユーザが居るときに第２冷風抑制制御が行われたとしてもユーザに調和空気が直接当たるのを抑制することができる。もしも第２冷風抑制制御を選択するために水平フラップ６４，６５のスイングを止めるという制御を行うと、故障したとユーザが誤解する可能性が高くなる。スイングをしていないことを条件とすることでスイングをとめないような制御をすることで、そのような誤解を招かないようにすることができる。なお、水平フラップ６４，６５だけでなく、垂直フラップ６３がスイングをしないという条件を第２開始条件に含めてもよい。また、水平フラップは、２枚の水平フラップ６４，６５に限られるものではなく、１枚でもよく、また３枚以上であってもよい。
【００７２】
（５−５）
選択条件である第２開始条件が、水平フラップ６４，６５が所定の角度Ａｎ１よりも上に向いているという条件を、第２冷風抑制制御を選択するための条件として含む場合には、所定の角度Ａｎ１以下の時には第２冷風抑制制御が行われない。そこで、所定の角度Ａｎ１を室内ＲＳに居るユーザに調和空気が当たらないように設定しておくことで、室内ＲＳにユーザが居るときに第２冷風抑制制御が行われたとしてもユーザに比較的冷たい調和空気が直接当たるのを抑制することができ、冷風感の抑制機能を向上させることができる。
【００７３】
（５−６）
水平フラップ６４，６５の所定の角度が水平方向または水平方向よりも上に調和空気が吹出される角度であるという条件を、選択条件である第２開始条件として含む場合には、第２冷風抑制制御が行われるときに、調和空気が水平方向または水平方向よりも上に吹出される。その結果、例えば室内機３が高い位置にあれば室内に居るユーザが立ち上がっているときに第２冷風抑制制御が行われたとしてもユーザに調和空気が直接当たらないように設定することができ、冷風感の抑制機能を向上させることができる。
【００７４】
（５−７）
選択条件である第２開始条件が、水平フラップ６４，６５の所定の角度が、吹出された調和空気が天井に沿う角度であるという条件を含む場合には、第２冷風抑制制御が行われるときには、吹出された調和空気が天井に沿う。その結果、立ち上がったユーザが室内に居るときに第２冷風抑制制御が行われたとしてもユーザに調和空気が直接当たるのを抑制することができ、冷風感の抑制機能を向上させることができる。
【００７５】
（６）変形例
（６−１）変形例１Ａ
上記実施形態では、第１冷風抑制制御と第２冷風抑制制御の２種類の冷風抑制制御を有する場合について説明したが、さらに他の冷風抑制制御を有していてもよい。例えば、室内熱交換器１６の温度が第２温度よりも低い第３温度になったときに室内ファン３１の風量の制限を解除する第３冷風抑制制御をさらに有していてもよい。室内熱交換器の温度が第２温度よりも低い第３温度になったときに室内ファンの風量の制限を解除する第３冷風抑制制御をさらに有するので、第２冷風抑制制御よりもさらに室温上昇の促進を優先したい状況では第３冷風抑制制御を用いて早急に室温の上昇を図ることができる。
【００７６】
空気調和機１の制御において、例えば、図９に示されているように、図８に示したフローの一部を変更して、第３冷風抑制制御を追加してもよい。図８のフローのステップＳ３とステップＳ４の間において、第３開始条件を満たしているか否かを判断する（ステップＳ１１）。そして、第３開始条件を満たしていれば、第３冷風抑制制御に入る（ステップＳ１２）。もし、第３開始条件を満たしていなければ、ステップＳ４に進み、第２冷風抑制制御に入って、既に説明したようにステップＳ２からステップＳ５までのルーチンを繰り返す。
【００７７】
第３冷風抑制制御が開始されると、次に室内熱交換器１６が第３温度になったか否かが判断される（ステップＳ１３）。室内熱交換器１６が第３温度になったら、ステップＳ１４に進み、風量制限が解除される。ステップＳ１４の動作が終わると次にステップＳ９に進む。また、室内熱交換器１６の温度第３温度に到達していなければステップＳ２に進む。ステップＳ９又はステップＳ２に進んだ後の動作については、既に説明した図８に示されたフローの動作と同じになるので説明を省略する。
【００７８】
第２開始条件に、例えば風向が「天井気流」又は「上吹き」になっているという条件が含まれ、第３開始条件に、例えば風向が「天井気流」になっているという条件が含まれるように制御部５０の制御がプログラムされているものとする。つまり、第３冷風抑制制御は、第２冷風抑制制御よりも室温上昇の促進に重点が置かれた制御である。そのため、室内熱交換器１６の温度が第２温度よりも低い第３温度に達した時点で、例えば第１風量乃至第５風量を選択できるように風量制限を解除する（ステップＳ１４）。
【００７９】
このように、室内熱交換器１６の温度が第２温度よりも低い第３温度になったときに室内ファン３１の風量の制限を解除する第３冷風抑制制御を空気調和機１がさらに有すると、第２冷風抑制制御よりもさらに室温上昇の促進を優先したい状況では第３冷風抑制制御を用いて早急に室温の上昇を図ることができる。第３冷風抑制制御を設けて室温上昇を促進する機能を向上させる一方で、第３冷風抑制制御に入る条件を第２冷風抑制制御に入る条件よりも冷風感の抑制が容易な場合に限ることで、冷風感の抑制と室温上昇の促進の両立を図ることができている。
【００８０】
（６−２）変形例１Ｂ
上記実施形態では、空気調和機１が暖房専用に構成されていたが、空気調和機１は、図１０及び図１１に示されているように、例えば四路切換弁１２が追加されて、暖房と冷房とが切り換えられるように構成されてもよい。図１０のように構成された空気調和機１では、圧縮機１１は、内部で圧縮した冷媒を吐出口から四路切換弁１２の第１ポートに対して吐出する。四路切換弁１２は、第１ポート以外に、室外熱交換器１３に接続された第２ポートと、アキュムレータ１５に接続された第３ポートと、室内熱交換器１６に接続された第４ポートとを有する。四路切換弁１２は、空気調和機１が暖房運転をするときに、第１ポートと第４ポートとの間で冷媒を流通させると同時に第２ポートと第３ポートの間で冷媒を流通させる（破線で示された状態になる）。また、空気調和機１が冷房運転をするとき及び逆サイクルデフロスト運転をするとき、四路切換弁１２は、第１ポートと第２ポートの間で冷媒を流通させると同時に第３ポートと第４ポートの間で冷媒を流通させる（実線で示された状態になる）。
【００８１】
このように、暖房運転と冷房運転とが選択できる場合には、図８に示されているフローの第１開始条件に、暖房運転が選択されていることという条件が例えばＡＮＤ条件として含まれていればよい。室外制御装置２６が四路切換弁１２を制御するので、制御部５０は、室外制御装置２６から暖房運転と冷房運転のいずれが現在行われているのかを示す情報を得ることができる。
【００８２】
（６−３）変形例１Ｃ
上記実施形態では、第１冷風抑制制御が行われているとき又は第２冷風抑制制御が行われているときに、状況が変化して第１開始条件又は第２開始条件に関する判断が変わると、冷風抑制制御の変更を許容するように構成されている。しかし、第１冷風抑制制御と第２冷風抑制制御の選択の仕方は、上記実施形態の遣り方に限られるものではない。例えば、図１２に示されているようにフローの一部を変更してもよい。図１２に示されているフローでは、ステップＳ５，Ｓ８での判断が「Ｎｏ」のときにステップＳ４，Ｓ７に戻るように構成されており、一旦第１冷風抑制制御又は第２冷風抑制制御の制御に入ったときには、室内熱交換器１６の温度が第１温度に達するまで又は第２温度に達するまではそれぞれの制御を続ける。
【符号の説明】
【００８３】
１  空気調和機
２  室外機
３  室内機
１０  冷媒回路
１１  圧縮機
１２  四路切換弁
１３  室外熱交換器
１４  膨張機構
１６  室内熱交換器
２１  室外ファン
３１  室内ファン
３２  室内温度センサ
３３  室内熱交換器温度センサ
６３  垂直フラップ
６４，６５  水平フラップ
【先行技術文献】
【特許文献】
【００８４】
【特許文献１】特開平９-３０３８４４号公報
【図１】
2018128157.tif 000003
【図２】
2018128157.tif 000004
【図３】
2018128157.tif 000005
【図４】
2018128157.tif 000006
【図５】
2018128157.tif 000007
【図６】
2018128157.tif 000008
【図７】
2018128157.tif 000009
【図８】
2018128157.tif 000010
【図９】
2018128157.tif 000011
【図１０】
2018128157.tif 000012
【図１１】
2018128157.tif 000013
【図１２】
2018128157.tif 000014
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
蒸気圧縮式冷凍サイクルにおいて冷媒と室内空気との熱交換を行う室内熱交換器（１６）と、
前記室内熱交換器で熱交換された調和空気を室内に吹出させるときの風量を変更可能に構成されている室内ファン（３１）と、
前記室内ファンの風量を設定するためのリモートコントローラと
を備え、
暖房開始時に、前記室内熱交換器の温度が第１温度になるまで前記リモートコントローラによって選択し得る前記室内ファンの風量を制限する第１冷風抑制制御と、前記第１温度よりも低い第２温度になったときに前記リモートコントローラによって選択し得る前記室内ファンの風量の制限を解除する第２冷風抑制制御とを有する、空気調和機。
【請求項２】
前記第１冷風抑制制御と前記第２冷風抑制制御とを予め設定されている選択条件に応じて選択する、
請求項１に記載の空気調和機。
【請求項３】
前記選択条件は、目標室温と室温との差が閾値より大きいという条件を、前記第２冷風抑制制御を選択するための条件として含む、
請求項２に記載の空気調和機。
【請求項４】
蒸気圧縮式冷凍サイクルにおいて冷媒と室内空気との熱交換を行う室内熱交換器（１６）と、
前記室内熱交換器で熱交換された調和空気を室内に吹出させるときの風量を変更可能に構成されている室内ファン（３１）と、
前記室内ファンから吹出される調和空気の吹き出し方向をスイングすることができるように構成されたフラップ（６３，６４，６５）と
を備え、
暖房開始時に、前記室内熱交換器の温度が第１温度になるまで前記室内ファンの風量を制限する第１冷風抑制制御と、前記第１温度よりも低い第２温度になったときに前記室内ファンの風量の制限を解除する第２冷風抑制制御とを有し、
前記第１冷風抑制制御と前記第２冷風抑制制御とを予め設定されている選択条件に応じて選択し、
前記選択条件は、前記フラップがスイングをしていないという条件を、前記第２冷風抑制制御を選択するための条件として含む、空気調和機。
【請求項５】
蒸気圧縮式冷凍サイクルにおいて冷媒と室内空気との熱交換を行う室内熱交換器（１６）と、
前記室内熱交換器で熱交換された調和空気を室内に吹出させるときの風量を変更可能に構成されている室内ファン（３１）と、
前記室内ファンから吹出される調和空気の上下方向の吹き出しを変更することができるように構成された水平フラップ（６４，６５）と
を備え、
暖房開始時に、前記室内熱交換器の温度が第１温度になるまで前記室内ファンの風量を制限する第１冷風抑制制御と、前記第１温度よりも低い第２温度になったときに前記室内ファンの風量の制限を解除する第２冷風抑制制御とを有し、
前記第１冷風抑制制御と前記第２冷風抑制制御とを予め設定されている選択条件に応じて選択し、
前記選択条件は、前記水平フラップが所定の角度よりも上に向いているという条件を、前記第２冷風抑制制御を選択するための条件として含む、空気調和機。
【請求項６】
前記選択条件は、前記水平フラップの所定の角度が、調和空気が水平方向または水平方向よりも上に吹出される角度である、
請求項５に記載の空気調和機。
【請求項７】
前記選択条件は、前記水平フラップの所定の角度が、吹出された調和空気が天井に沿う角度である、
請求項５に記載の空気調和機。
【請求項８】
前記室内熱交換器の温度が前記第２温度よりも低い第３温度になったときに前記室内ファンの風量の制限を解除する第３冷風抑制制御をさらに有する、
請求項１から７のいずれか一項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機、特に、蒸気圧縮式冷凍サイクルを用いて暖房を行う空気調和機に関する。
【背景技術】
【０００２】
蒸気圧縮式冷凍サイクルを用いて暖房を行う空気調和機が暖房運転を開始するときには、空気調和機の室内熱交換器が暖まるまで、空気調和機の室内機から吹出される調和空気が暖房運転開始時点の室温とほぼ同じ低温状態になる。このような低温状態の調和空気や調和空気に巻き込まれた室内空気が室内に居るユーザに当たると、ユーザが冷風の吹き出しを感じてしまうことになる。暖房運転開始直後に空気調和機から吹出される冷風によって、ユーザが寒さを感じるのを防ぐために、例えば特許文献１（特開平９-３０３８４４号公報）に記載されている空気調和機では、吹き出される調和空気の温度が上昇するまでは送風ファンの吹出し風量を制限している。
【発明の概要】
【発明が解決しようとする課題】
【０００３】
しかしながら、特許文献１に記載されているように、暖房運転開始時に吹出し風量を制限すると、室内の気温の上昇も抑制されてしまい、室内が暖まるのに時間が掛かってしまう。
【０００４】
本発明の課題は、蒸気圧縮式冷凍サイクルを用いて暖房を行う空気調和機における冷風感の抑制と室温上昇の促進を図ることである。
【課題を解決するための手段】
【０００５】
本発明の第１観点に係る空気調和機は、蒸気圧縮式冷凍サイクルにおいて冷媒と室内空気との熱交換を行う室内熱交換器と、室内熱交換器で熱交換された調和空気を室内に吹出させるときの風量を変更可能に構成されている室内ファンと、室内ファンの風量を設定するためのリモートコントローラとを備え、暖房開始時に、室内熱交換器の温度が第１温度になるまでリモートコントローラによって選択し得る室内ファンの風量を制限する第１冷風抑制制御と、第１温度よりも低い第２温度になったときにリモートコントローラによって選択し得る室内ファンの風量の制限を解除する第２冷風抑制制御とを有する。
【０００６】
第１観点に係る空気調和機では、室内熱交換器の温度が第１温度になるまで室内ファンの風量を制限する第１冷風抑制制御と、室内熱交換器の温度が第１温度よりも低い第２温度になったときに室内ファンの風量の制限を解除する第２冷風抑制制御とを有することから、冷風感の抑制を優先したい状況では第１冷風抑制制御を用い、室温上昇の促進を優先したい状況では第２冷風抑制制御を用いることができる。
【０００７】
本発明の第２観点に係る空気調和機は、第１観点に係る空気調和機において、第１冷風抑制制御と第２冷風抑制制御とを予め設定されている選択条件に応じて選択する、ものである。
【０００８】
第２観点に係る空気調和機では、第１冷風抑制制御と第２冷風抑制制御とが選択条件に応じて選択されることから、冷風感の抑制を優先したい状況で第１冷風抑制制御が選択され、室温上昇の促進を優先したい状況で第２冷風抑制制御が選択されるように選択条件を予め設定することができる。
【０００９】
本発明の第３観点に係る空気調和機は、第２観点に係る空気調和機において、選択条件は、目標室温と室温との差が閾値より大きいという条件を、第２冷風抑制制御を選択するための条件として含む、ものである。
【００１０】
第３観点に係る空気調和機では、選択条件が、目標室温と室温との温度差が閾値より大きいという条件を、第２冷風抑制制御を選択するための条件として含むことから、温度差が小さくて能力要求が小さい時には第２冷風抑制制御が行われないような構成となる。
【００１１】
本発明の第４観点に係る空気調和機は、蒸気圧縮式冷凍サイクルにおいて冷媒と室内空気との熱交換を行う室内熱交換器と、室内熱交換器で熱交換された調和空気を室内に吹出させるときの風量を変更可能に構成されている室内ファンと、室内ファンから吹出される調和空気の吹き出し方向をスイングすることができるように構成されたフラップをさらに備え、暖房開始時に、前記室内熱交換器の温度が第１温度になるまで前記室内ファンの風量を制限する第１冷風抑制制御と、前記第１温度よりも低い第２温度になったときに前記室内ファンの風量の制限を解除する第２冷風抑制制御とを有し、第１冷風抑制制御と第２冷風抑制制御とを予め設定されている選択条件に応じて選択し、選択条件は、フラップがスイングをしていないという条件を、第２冷風抑制制御を選択するための条件として含む、ものである。
【００１２】
第４観点に係る空気調和機では、選択条件が、フラップがスイングをしていないという条件を、第２冷風抑制制御を選択するための条件として含むことから、フラップがスイングして広範囲に調和空気を吹出しているときには第２冷風抑制制御が行われないので、室内にユーザが居るときに第２冷風抑制制御が行われたとしてもユーザに調和空気が直接当たるのを抑制することができる。また、もし第２冷風抑制制御を選択するためにスイングを止めると故障が発生したとのユーザの誤解を招く可能性が高くなるが、そのような誤解を起こさせないようにすることができる。
【００１３】
本発明の第５観点に係る空気調和機は、蒸気圧縮式冷凍サイクルにおいて冷媒と室内空気との熱交換を行う室内熱交換器と、室内熱交換器で熱交換された調和空気を室内に吹出させるときの風量を変更可能に構成されている室内ファンと、室内ファンから吹出される調和空気の上下方向の吹き出しを変更することができるように構成された水平フラップをさらに備え、暖房開始時に、室内熱交換器の温度が第１温度になるまで室内ファンの風量を制限する第１冷風抑制制御と、第１温度よりも低い第２温度になったときに室内ファンの風量の制限を解除する第２冷風抑制制御とを有し、第１冷風抑制制御と第２冷風抑制制御とを予め設定されている選択条件に応じて選択し、選択条件は、水平フラップが所定の角度よりも上に向いているという条件を、第２冷風抑制制御を選択するための条件として含む、ものである。
【００１４】
第５観点に係る空気調和機では、選択条件が、水平フラップが所定の角度よりも上に向いているという条件を、第２冷風抑制制御を選択するための条件として含むことから、所定の角度以下の時には第２冷風抑制制御が行われないので、所定の角度を室内に居るユーザに調和空気が当たらないように設定しておくことで、室内にユーザが居るときに第２冷風抑制制御が行われたとしてもユーザに調和空気が直接当たるのを抑制することができる。
【００１５】
本発明の第６観点に係る空気調和機は、第５観点に係る空気調和機において、選択条件は、水平フラップの所定の角度が、調和空気が水平方向または水平方向よりも上に吹出される角度である、ものである。
【００１６】
第６観点に係る空気調和機では、第２冷風抑制制御が行われるときに、調和空気が水平方向または水平方向よりも上に吹出されるので、室内にユーザが居るときに第２冷風抑制制御が行われたとしてもユーザに調和空気が直接当たるのを抑制することができる。
【００１７】
本発明の第７観点に係る空気調和機は、第５観点に係る空気調和機において、選択条件は、水平フラップの所定の角度が、吹出された調和空気が天井に沿う角度である、ものである。
【００１８】
第７観点に係る空気調和機では、第２冷風抑制制御が行われるときには、吹出された調和空気が天井に沿うので、立ち上がったユーザが室内に居るときに第２冷風抑制制御が行われたとしてもユーザに調和空気が直接当たるのを抑制することができる。
【００１９】
本発明の第８観点に係る空気調和機は、第１観点から第７観点のいずれかに係る空気調和機において、室内熱交換器の温度が第２温度よりも低い第３温度になったときに室内ファンの風量の制限を解除する第３冷風抑制制御をさらに有する、ものである。
【００２０】
第８観点に係る空気調和機では、室内熱交換器の温度が第２温度よりも低い第３温度になったときに室内ファンの風量の制限を解除する第３冷風抑制制御をさらに有するので、第２冷風抑制制御よりもさらに室温上昇の促進を優先したい状況では第３冷風抑制制御を用いて早急に室温の上昇を図ることができる。
【発明の効果】
【００２１】
本発明の第１観点に係る空気調和機では、冷風感の抑制と室温上昇の促進を図ることができる。
【００２２】
本発明の第２観点に係る空気調和機では、冷風感の抑制と室温上昇の促進を容易に実現することができる。
【００２３】
本発明の第３観点に係る空気調和機では、既に室内が暖かくて早急に暖める必要性の小さいときに第２冷風抑制制御を行わないことによって冷風感の抑制の効果を向上させることができる。
【００２４】
本発明の第４観点に係る空気調和機では、第２冷風抑制制御において、故障と誤解されるフラップの動き及び冷風感を増すフラップの動きを抑制することができる。
【００２５】
本発明の第５観点から第７観点のいずれかに係る空気調和機では、冷風感の抑制機能を向上させることができる。
【００２６】
本発明の第８観点に係る空気調和機では、室温上昇を促進する機能が向上する。
【図面の簡単な説明】
【００２７】
【図１】実施形態に係る空気調和機の外観を示す斜視図。
【図２】実施形態に係る空気調和機の構成の概要を示す回路図。
【図３】水平フラップが天井気流の風向選択時の位置にある室内機の断面図。
【図４】空気調和機の制御系統の構成の概要を示すブロック図。
【図５】水平フラップが上吹きの風向選択時の位置にある室内機の断面図。
【図６】水平フラップが垂直気流の風向選択時の位置にある室内機の断面図。
【図７】上下方向の風向の違いを説明するために室内と室内機を示した概念図。
【図８】第１冷風抑制制御及び第２冷風抑制制御について説明するためのフローチャート。
【図９】変形例１Ａにおける第２冷風抑制制御及び第３冷風抑制制御について説明するためのフローチャート。
【図１０】変形例１Ｂに係る空気調和機の構成の概要を示す回路図。
【図１１】変形例１Ｂに係る空気調和機の制御系統の概略構成を示すブロック図。
【図１２】変形例１Ｃにおける第１冷風抑制制御及び第２冷風抑制制御について説明するためのフローチャート。
【発明を実施するための形態】
【００２８】
（１）全体構成
本発明の一実施形態に係る空気調和機の構成の概要について図１及び図２を用いて説明する。図１に示されている空気調和機１は、室内の壁面ＷＬなどに取り付けられる室内機３と、屋外に設置される室外機２とを備えている。なお、図１においては、室外機２が壁面ＷＬを挟んで室内機３とは反対側の屋外にあることから、室外機２が破線で示されている。図２には、空気調和機１の回路構成が示されている。この空気調和機１は、冷媒回路１０を備えており、冷媒回路１０の中の冷媒を循環させることにより蒸気圧縮式冷凍サイクルを実行することができる。冷媒が循環する冷媒回路１０を形成するために、連絡配管４によって、室内機３と室外機２が接続されている。また、図４に示されているように、空気調和機１は、内部の機器を制御するために制御部５０を備えている。空気調和機１には、リモートコントローラ５が付属しており、このリモートコントローラ５は、例えば赤外線を用いて制御部５０と通信する機能を持っている。ユーザは、このリモートコントローラ５を用いて空気調和機１に対して種々の設定を行うことができる。
【００２９】
（１−１）冷媒回路１０
冷媒回路１０は、圧縮機１１と、室外熱交換器１３と、膨張機構１４と、アキュムレータ１５と、室内熱交換器１６とを備えている。圧縮機１１は、吸入口から冷媒を吸入し、内部で圧縮した冷媒を吐出口から室内熱交換器１６に対して吐出する。圧縮機１１は、インバータによる回転数制御を行う容量可変のインバータ圧縮機である。圧縮機１１の運転周波数が高くなるほど冷媒循環量が多くなり、逆に運転周波数が低くなると冷媒循環量が減少する
室外熱交換器１３は、アキュムレータ１５を介して圧縮機１１の吸入口との間で冷媒を流通させるための第１出入口を有するとともに、膨張機構１４との間で冷媒を流通させるための第２出入口を有している。室外熱交換器１３は、室外熱交換器１３の第２出入口と第１出入口との間に接続された伝熱管（図示せず）を流れる冷媒と室外空気との間で熱交換を行わせる。
【００３０】
膨張機構１４は、室外熱交換器１３と室内熱交換器１６との間に配置されている。膨張機構１４は、室外熱交換器１３と室内熱交換器１６の間を流れる冷媒を膨張させて減圧する機能を有している。膨張機構１４は、開度を変更することができるように構成されており、開度を小さくすることにより膨張機構１４を通過する冷媒の流路抵抗が増加し、開度を大きくすることにより膨張機構１４を通過する冷媒の流路抵抗が減少する。このような膨張機構１４は、暖房運転中は、室内熱交換器１６から室外熱交換器１３に向かって流れる冷媒を膨張させて減圧する。また、冷媒回路１０に取り付けられている他の機器の状態が変化しなくても、膨張機構１４の開度が変化すると、冷媒回路１０を流れる冷媒の流量は変化する。
【００３１】
室内熱交換器１６は、膨張機構１４との間で液冷媒を流通させるための第２出入口を有するとともに、圧縮機１１の吐出口との間でガス冷媒を流通させるための第１出入口を有している。室内熱交換器１６は、室内熱交換器１６の第２出入口と第１出入口との間に接続された伝熱管１６ｂ（図３参照）を流れる冷媒と室内空気との間で熱交換を行わせる。
【００３２】
室外熱交換器１３と圧縮機１１の吸入口との間には、アキュムレータ１５が配置されている。アキュムレータ１５では、室外熱交換器１３から圧縮機１１に流れる冷媒がガス冷媒と液冷媒とに分離される。そして、アキュムレータ１５から圧縮機１１の吸入口には主にガス冷媒が供給される。
【００３３】
室外機２は、伝熱管を流れる冷媒と室外空気との熱交換を促進するため、室外熱交換器１３を通過する室外空気の気流を発生させる室外ファン２１を備えている。この室外ファン２１は、回転数を変更できる室外ファンモータ２１ａによって駆動される。また、室内機３は、伝熱管１６ｂを流れる冷媒と室内空気との熱交換を促進するため、室内熱交換器１６を通過する室内空気の気流を発生させる室内ファン３１を備えている。この室内ファン３１は、回転数を変更できる室内ファンモータ３１ａによって駆動される。
【００３４】
（１−２）室内機３の構成
図３に示されているように、室内機３は、上述の室内熱交換器１６と室内ファン３１以外に、ケーシング６１と、エアフィルタ６２と、複数の垂直フラップ６３と水平フラップ６４，６５とを備えている。
【００３５】
（１−２−１）ケーシング６１
ケーシング６１は、長手方向（以下においては左右方向ともいう）に細長く延びて複数の開口を持つ箱形状を呈する。ケーシング６１の天面部には吸込口７１が設けられている。室内ファン３１が駆動することによって、この吸込口７１近傍の室内空気が、この吸込口７１からケーシング６１の内部へと取り込まれる。吸込口７１から取り込まれた室内空気は、ケーシング６１の天面部に設けられているエアフィルタ６２を通過し、さらに室内熱交換器１６を通過して室内ファン３１へと送られる。ケーシング６１の底面部には、吹出口７２が形成されている。吹出口７２は、室内ファン３１から続くスクロール流路７２ｂによってケーシング６１の内部と繋がっている。吸込口７１から吸い込まれ室内空気は、室内熱交換器１６にて熱交換された後、スクロール流路７２ｂを通って吹出口７２から室内ＲＳへと吹き出される。スクロール流路７２ｂの後ろ側には、流路下面７２ａが設けられている。流路下面７２ａの断面形状は、旋回するにつれて室内ファン３１の回転中心から遠ざかる曲線を描く。
【００３６】
（１−２−２）風向調整のための構成
吹出口７２には、左右方向に長く延びる２枚の水平フラップ６４，６５が設けられている。これら水平フラップ６４，６５は、ケーシング６１に回動可能に取り付けられている。水平フラップ６４，６５は、それぞれに対して設けられている水平フラップ駆動用モータ３７によってそれぞれ独立して、左右に延びるそれぞれの回転中心の周りで回動することができるように構成されている。これら水平フラップ駆動用モータ３７は、室内機３内に設けられている室内制御装置３５（図４参照）によって制御される。そして、これら水平フラップ６４，６５は、単独で又は互いに協力して、吹出口７２から吹出される空気の上下方向の風向きを調整する。
【００３７】
吹出口７２の奥には、左右方向に対して交差する平面を持つ複数の垂直フラップ６３が設けられている。垂直フラップ駆動用モータ３８（図４参照）によって、上下方向（左右方向と交差する方向）に延びる回転中心の周りで垂直フラップ６３が左右に回動することができるように構成されている。垂直フラップ６３を駆動する垂直フラップ駆動用モータ３８も、室内制御装置３５によって制御される。これら複数の垂直フラップ６３は、吹出口７２から吹出される空気の風向きを左右に調整する。
【００３８】
（１−２−３）室内熱交換器１６
室内熱交換器１６は、複数のフィン１６ａと、複数のフィン１６ａを貫く複数の伝熱管１６ｂとで構成されている。室内熱交換器１６は、室内機３の運転状態に応じて蒸発器または放熱器として機能し、伝熱管１６ｂの中を流れる冷媒と室内熱交換器１６を通過する空気との間で熱交換を行わせる。なお、ここではフィン１６ａと伝熱管１６ｂによって構成されている室内熱交換器１６について説明しているが、本発明で用いられる室内熱交換器１６は、フィンアンドチューブ式の熱交換器に限られるものではなく、例えば伝熱管１６ｂの代わりに扁平多穴管を使用した熱交換器を用いることもできる。
【００３９】
（１−２−４）室内ファン３１
室内ファン３１は、図３に示されているように、ケーシング６１の内部の略中央部分に位置している。この室内ファン３１は、室内機３の長手方向（左右方向）に細長い略円筒形状をしたクロスフローファンである。室内ファン３１が回転駆動されることによって、室内空気が吸込口７１から吸い込まれてエアフィルタ６２を通過した後に、室内熱交換器１６を通過することで生成された調和空気が吹出口７２から室内ＲＳへと吹出される。室内ファン３１は、室内ファンモータ３１ａの回転数に応じて回転し、回転数が大きくなるほど吹出口７２から吹出される調和空気の風量が多くなる。
【００４０】
（１−３）制御系統の構成の概要
図４に示されているように、制御部５０は、室外機２内に内蔵されている室外制御装置２６と室内機３内に内蔵されている室内制御装置３５とを有している。これら室外制御装置２６と室内制御装置３５とは、相互に信号線で接続され、互いに信号を送受信できるように構成されている。
【００４１】
室外機２の室外制御装置２６は、圧縮機１１、膨張機構１４及び室外ファン２１などを制御する。そのために、室外機２は、室外空気の温度を測定するための室外温度センサ２２と、室外熱交換器１３の特定の場所を流れる冷媒の温度を測定するための室外熱交換器温度センサ２３と、圧縮機１１から吐出される冷媒の温度を検出するための吐出管温度センサ２４と、圧縮機１１に吸入されるガス冷媒の温度を検出するための吸入管温度センサ２５とを備えている。そして、室外制御装置２６は、室外温度センサ２２乃至吸入管温度センサ２５が測定した温度に関する信号を受信するために、室外温度センサ２２乃至吸入管温度センサ２５に接続されている。この室外制御装置２６は、例えばＣＰＵ（図示せず）とメモリ２６ａを含んでおり、メモリ２６ａに記憶されているプログラムなどに従って室外機２の制御を行うことができる構成になっている。
【００４２】
室内機３の室内制御装置３５は、室内ファン３１などを制御する。そのために、室内機３は、室内空気の温度を測定するための室温センサ３２と、室内熱交換器１６の特定の場所を流れる冷媒の温度を測定するための室内熱交換器温度センサ３３とを備えている。そして、室内制御装置３５は、室温センサ３２及び室内熱交換器温度センサ３３が測定した温度に関する信号を受信するために、室温センサ３２及び室内熱交換器温度センサ３３に接続されている。この室内制御装置３５は、例えばＣＰＵ（図示せず）とメモリ３５ａを含んでおり、メモリ３５ａに記憶されているプログラムなどに従って室内機３の制御を行うことができる構成になっている。
【００４３】
リモートコントローラ５は、図１に示されている液晶表示装置５ａとボタン５ｂとを有している。図４に示されている運転スイッチ５１、温度設定スイッチ５２、風向設定スイッチ５３及び風量設定スイッチ５４などに対応するボタン５ｂを使ってユーザがこれらのスイッチの操作をすることができる。運転スイッチ５１は、空気調和機１の運転と停止とを切り換えるためのスイッチであって、運転スイッチ５１が操作される毎に運転と停止とが交互に切り換わる。温度設定スイッチ５２は、ユーザが望む室温を入力するために用いられるスイッチである。また、風向設定スイッチ５３は、風向に関する設定を行うためのスイッチである。風量設定スイッチ５４は、風量を入力するために用いられるスイッチである。
【００４４】
制御部５０は、温度設定スイッチ５２を用いて入力された設定温度Ｔｓに基づいて、目標室温Ｔｔを設定する。暖房運転では、例えば、設定温度Ｔｓに一定値α１を加えて得られる温度（Ｔｓ＋α１）を目標室温Ｔｔとする。あるいは、所定の関数ｆ１（ｘ）に従って計算された値β１を設定温度Ｔｓに加えて得られる温度（Ｔｓ＋β１）を目標室温Ｔｔとしてもよい。目標室温Ｔｔよりも室温Ｔｒが高くなれば、制御部５０は空気調和機１をサーモオフさせる。なお、制御部５０は、設定温度Ｔｓから一定値α２を差し引いて得られる温度（Ｔｓ−α２）よりも室温Ｔｒが低くなれば、制御部５０が空気調和機１をサーモオンさせる。あるいは、所定の関数ｆ２（ｘ）に従って計算された値β２を設定温度Ｔｓから差し引いて得られる温度（Ｔｓ−β１）よりも室温Ｔｒが低くなれば、制御部５０が空気調和機１をサーモオンさせるように設定されてもよい。サーモオン状態では圧縮機１１が駆動されていて冷媒による熱の移動があるが、サーモオフ状態では圧縮機１１が停止していて冷媒による熱の移動が停止されている。
【００４５】
制御部５０は、上述のような種々のセンサの測定値とリモートコントローラ５から入力される指令に基づき、空気調和機１を構成する種々の機器を制御する。また、制御部５０は、リモートコントローラ５の液晶表示装置５ａを用いて、入力された指令の状況及び制御の状況をユーザに報知する。
【００４６】
（２）風向調整
（２−１）手動設定
ユーザは、リモートコントローラ５の風向設定スイッチ５３を使って手動により垂直フラップ６３、水平フラップ６４，６５の位置を調整することができる。室内機３は、左右方向では、例えば「前吹き」、「右吹き」及び「左吹き」と呼ばれる風向を設定できる。例えば、「前吹き」の風向が選択されているとは、垂直フラップ６３が前後方向に延びる位置で停止して前方に向かって調和空気が吹出される。「右吹き」の風向が選択されていると、垂直フラップ６３が右に傾いている位置で停止して右方向に向かって調和空気が吹出される。「左吹き」の風向が選択されていると、垂直フラップ６３が左に傾いている位置で停止して左方向に向かって調和空気が吹出される。また、室内機３は、上下方向では、例えば「天井気流」、「上吹き」、「下吹き」及び「垂直気流」と呼ばれる風向を選択することができるように構成されている。「天井気流」の風向が選択されると、室内機３は、水平フラップ６４，６５の先端を最も上に向け、天井ＣＥに調和空気が沿って流れるように吹出口７２から図３に矢印Ａｒ１で示されている方向に調和空気を吹出す。「上吹き」の風向が選択されると、室内機３は、「天井気流」の風向の場合の水平フラップ６４,６５の位置よりも先端を少し下げ、図５に矢印Ａｒ２で示されているように、水平方向よりも上に向けた方向に調和空気を吹き出す。「下吹き」の風向が選択されると、室内機３は、水平方向よりも下に調和空気を吹き出す。「垂直気流」の風向が選択されると、室内機３は、図６に示されているように水平フラップ６４，６５の先端を最も下に向けて壁面ＷＬに沿って調和空気が流れるように調和空気を吹き出す。図７の矢印Ａｒ１で示された気流が、「天井気流」の風向選択時に生じる気流の例であり、矢印Ａｒ２で示された気流が、「上吹き」の風向選択時に生じる気流の例であり、矢印Ａｒ３で示された気流が、「下吹き」の風向選択時に生じる気流の例であり、矢印Ａｒ４で示された気流が、「垂直気流」の風向選択時に生じる気流の例である。なお、ここで上下方向において４つの異なる風向が選択可能な場合について説明しているが、上下方向において選択可能な風向の設定の仕方はこの例に限られるものではない。
【００４７】
（２−２）スイング設定
リモートコントローラ５の風向設定スイッチ５３により、垂直フラップ６３がスイングする状態を選択することができる。また、リモートコントローラ５の風向設定スイッチ５３により、水平フラップ６４，６５がスイングする状態を選択することができる。さらには、垂直フラップ６３と水平フラップ６４，６５がともにスイングする状態を選択することができる。
【００４８】
（２−３）自動設定
リモートコントローラ５の風向設定スイッチ５３を使って、制御部５０に風向設定を任せる風向自動モードを選択することができる。風向自動モードでは、メモリ３５ａに記憶されているプログラムに従って制御部５０により風向が自動的に設定される。
【００４９】
（３）風量調整
風量調整のモードには、自動設定と手動設定の２種類のモードが存在する。自動設定モードでは、メモリ３５ａに記憶されているプログラムに従って、制御部５０が自動的に風量を設定する。手動設定モードでは、ユーザがリモートコントローラ５の風量設定スイッチ５４を使って、例えば、５つの異なる風量を設定することができる。ここでは、風量が小さい方から順に第１風量、第２風量、第３風量、第４風量、そして第５風量と呼ぶ。
【００５０】
（４）暖房運転
空気調和機１の暖房運転のときは、圧縮機１１から吐出された高温高圧の冷媒は室内熱交換器１６に流れ込む。このとき、室内熱交換器１６は、放熱器として機能する。そのため、室内熱交換器１６の中を流れるに従って、冷媒は、室内空気との熱交換によって室内空気を暖めて自身が放熱して冷やされる。室内熱交換器１６で温度を奪われた低温高圧の冷媒は、膨張機構１４によって減圧されて低温低圧の冷媒に変化する。膨張機構１４を経て室外熱交換器１３に流れ込んだ冷媒は、室外空気との熱交換によって暖められる。このとき、室外熱交換器１３は、蒸発器として機能している。そして、室外熱交換器１３からアキュムレータ１５を介して、主に低温のガス冷媒が圧縮機１１に吸入される。
【００５１】
（４−１）第１冷風抑制制御及び第２冷風抑制制御
（４−１−１）第１冷風抑制制御及び第２冷風抑制制御の開始と制限解除と終了
第１冷風抑制制御及び第２冷風抑制制御について図８のフローチャートに沿って説明する。例えば、リモートコントローラ５の運転スイッチ５１を切り換えるボタン５ｂが押されて運転が開始されると（ステップＳ１）、制御部５０は、第１開始条件を満たしているか否かについて判断する（ステップＳ２）。第１開始条件は、第１冷風抑制制御又は第２冷風抑制制御の冷風抑制制御に入るか否かを判断するための条件である。第１開始条件を満たしていなければ、第１冷風抑制制御及び第２冷風抑制制御のいずれも行わない。そのため、第１開始条件が満たされていないときには、ステップＳ９に進む。第１条件を満たしているときには、次のステップＳ３に進み、第２開始条件を満たしているか否かを判断する。第２開始条件は、第１冷風抑制制御を行うか、第２冷風抑制制御を行うかを決めるための条件である。これら第１開始条件及び第２開始条件の内容については後述する。
【００５２】
ステップＳ３において第２開始条件が満たされていると判断されると、第２冷風抑制制御（ステップＳ４）に入って風量を制限する。通常は、第２冷風抑制制御に入った後に、第１開始条件及び第２開始条件が変更されることはないので、室内熱交換器１６の温度が第２温度になるまでは、ステップＳ２，Ｓ３，Ｓ４，Ｓ５のループの動作が繰り返され、第２冷風抑制制御を継続する。そして、室内熱交換器１６の温度が第２温度に達すると、ステップＳ５からステップＳ６に進み、第２冷風抑制制御の風量制限が解除される。風量制限が解除された後は、ステップＳ９に進み、第１冷風抑制制御及び第２冷風抑制制御を解除するか否かが判断される。
【００５３】
ステップＳ３において第２開始条件が満たされていないと判断されると、第１冷風抑制制御（ステップＳ７）に入って風量を制限する。通常は、第１冷風抑制制御に入った後に、第１開始条件及び第２開始条件が変更されることはないので、室内熱交換器１６の温度が第１温度になるまでは、ステップＳ２，Ｓ３，Ｓ７，Ｓ８のループの動作が繰り返される。そして、室内熱交換器１６の温度が第１温度に達すると、ステップＳ８からステップＳ６に進み、第１冷風抑制制御の風量制限が解除される。風量制限が解除された後は、ステップＳ９に進み、第１冷風抑制制御及び第２冷風抑制制御を解除するか否かが判断される。
【００５４】
ステップＳ９においては、制御部５０により、室温センサ３２の測定する室温Ｔｒが設定温度Ｔｓ付近の閾値温度Ｔｈを越えたか否かが判断される。閾値温度Ｔｈの設定は、設計事項であるが、例えば閾値温度Ｔｈを設定温度Ｔｓよりもγ度だけ低い値に設定される。この場合、制御部５０は、Ｔｒ＞（Ｔｓ−γ）を満たせば、冷風抑制制御を解除して（ステップＳ１０）、冷風抑制制御のルーチンを終了する。
【００５５】
通常は暖房運転が開始してそのまま暖房運転が継続されている場合には、室内熱交換器１６の温度は徐々に上がる。しかし、暖房運転開始後に目標室温Ｔｔに達する前に室内熱交換器１６の温度が下がることもあり得る。この空気調和機１においては、第１冷風抑制制御において室内熱交換器１６の温度が、第１温度以上に上がった後に、再び第１温度よりも下がったときには、一旦風量制限が解除された後であっても再び風量制限が掛かるように構成されている。同様に、第２冷風抑制制御において室内熱交換器１６の温度が、第２温度以上に上がった後に、再び第２温度よりも下がったときには、一旦風量制限が解除された後であっても再び風量制限が掛かるように構成されている。
【００５６】
ところで、上述の制御においては、第２温度が第１温度よりも低く設定されている。従って、第２冷風抑制制御において風量制限が解除される時の室内熱交換器１６の温度は、第１冷風抑制制御において風量制限が解除される時の室内熱交換器１６の温度よりも低くなっている。つまり、第２冷風抑制制御は、第１冷風抑制制御と比べて冷風感を抑制する効果よりも室温Ｔｒを上昇させる機能を優先している制御ということになる。その一方で、冷風感の抑制を確保するために、第２冷風抑制制御が行われる場合を、冷風感の抑制が容易になる、第２開始条件を満たす状態に限っている。
【００５７】
（４−１−２）第１開始条件
第１開始条件は、運転中であることを条件として含んでいる。例えば、運転中であることがＡＮＤ条件であり、運転中でなければ、他の条件を満たしていても第１開始条件は満たされない。第１開始条件は、圧縮機１１が駆動されていることを条件として含んでもよい。例えば、圧縮機１１が駆動されていることをさらにＡＮＤ条件として含んでいれば、運転中であり、且つ圧縮機１１が駆動されているときしか、冷風抑制制御が開始されることはない。また、第１開始条件は、予約された暖房運転でないことを条件として含んでもよい。例えば、予約された暖房運転でないことをさらにＡＮＤ条件として含んでいれば、運転中であり、圧縮機１１が駆動され、予約された暖房運転でないときしか、冷風抑制制御が開始されることはない。また、第１開始条件は、天井付近に暖気が集まっている暖気溜まりを取るための強制的な「天井気流」の選択ではないことを条件として含んでもよい。このような条件を含めることで、天井に沿う強い気流を発生させたいときに、風量が制限されるのを防止することができる。
【００５８】
（４−１−３）第２開始条件
第２開始条件は、水平フラップ６４，６５が所定の角度よりも上を向いていることを条件として含んでいる。例えば、図５に示されている風向が「上吹き」のときの水平フラップ６４，６５は、水平面に対する所定の角度Ａｎ１よりも上を向いている。従って、所定の角度Ａｎ１よりも上を向いていることを第２開始条件として含んでいれば、風向が「天井気流」及び「上吹き」の状態にあるときの水平フラップ６４，６５がこの条件を満たすことになる。
【００５９】
第２開始条件としての、水平フラップ６４，６５が所定の角度よりも上を向いていることという条件は、水平フラップ６４，６５の角度が調和空気を水平方向あるいは水平方向よりも上に吹き出される角度になっていることという条件にしてもよい。この場合には、「天井気流」の状態にあるときの水平フラップ６４，６５の角度が条件を満たすことになる。また、本実施形態の「上吹き」の状態においては、調和空気が水平方向または水平方向よりも上に吹き出されているので、「上吹き」の状態のときの水平フラップ６４，６５の角度もこの条件を満たすことになる。
【００６０】
あるいは、第２開始条件としての、水平フラップ６４，６５が所定の角度よりも上を向いていることという条件は、水平フラップ６４，６５の角度が、吹き出された調和空気が天井に沿う角度を水平方向あるいは水平方向よりも上に吹き出される角度になっていることという条件にしてもよい。この場合には、「天井気流」の状態にあるときの水平フラップ６４，６５の角度が条件を満たすことになる。
【００６１】
また、第２開始条件は、フラップがスイングをしていないという条件を含んでもよい。例えば、水平フラップ６４，６５と垂直フラップ６３がスイングしていないことをさらにＡＮＤ条件として含んでいれば、水平フラップ６４，６５と垂直フラップ６３がスイングしておらず、且つ水平フラップ６４，６５が所定の角度よりも上を向いているときしか、第２冷風抑制制御が開始されることはない。なお、フラップが複数ある場合には、特定の一部のフラップがスイングをしていないとき、例えば水平フラップ６４，６５のみがスイングしていないという条件を設定することができる。また、ラップが複数ある場合には、全てのフラップがスイングしていないという条件を設定することができる。
【００６２】
また、第２開始条件は、目標室温Ｔｔと室温Ｔｒとの差が閾値より大きいという条件を含んでもよい。例えば、目標室温Ｔｔと室温Ｔｒとの差が閾値より大きいことをさらにＡＮＤ条件として含んでいれば、水平フラップ６４，６５と垂直フラップ６３がスイングしておらず、水平フラップ６４，６５が所定の角度よりも上を向き、且つ目標室温Ｔｔと室温Ｔｒとの差が閾値より大きいときにしか、第２冷風抑制制御が開始されることはない。
【００６３】
（４−１−４）風量の制限及び解除
風量の制限の仕方としては、例えば、リモートコントローラ５の風量設定スイッチ５４でユーザが設定できる最も小さい第１風量に制限する方法がある。それ以外に、例えば、第１風量よりも小さい第１冷風抑制制御及び第２冷風抑制制御における専用の風量を設けてもよい。この場合、第１冷風抑制制御及び第２冷風抑制制御において風量制限が掛かっているときには、第１風量よりも小さい専用の風量に制限される。
【００６４】
風量の解除の仕方として最も簡単な方法は、第１冷風抑制制御も第２冷風抑制制御もそれぞれ第１温度と第２温度になったときに、第１風量から第５風量までの全ての風量を選択できるように一切の風量の制限を解除する方法である。それ以外にも次のような風量制限の解除の仕方がある。例えば、第１温度を複数設定し、第１ａ温度、第１ｂ温度、第１ｃ温度及び第１ｄ温度が第１温度に含まれるものとし、第１ａ温度＜第１ｂ温度＜第１ｃ温度＜第１ｄ温度とする。そして、第１ａ温度よりも室内熱交換器１６の温度が高くなったときに、第１風量と第２風量を選択できるように第１冷風抑制制御の一部の風量制限を解除する。また、第１ｂ温度よりも室内熱交換器１６の温度が高くなったときに、第１風量と第２風量と第３風量を選択できるように第１冷風抑制制御の一部の風量制限をさらに解除する。また、第１ｃ温度よりも室内熱交換器１６の温度が高くなったときに、第１風量から第４風量までを選択できるように第１冷風抑制制御の一部の風量制限をさらに解除する。最後に、第１ｄ温度よりも室内熱交換器１６の温度が高くなったときに、全ての風量制限をさらに解除する。このように、段階的に風量制限を解除するように構成してもよい。
【００６５】
第２冷風抑制制御についても、段階的に解除するように構成してもよい。例えば、第２温度を複数設定し、第２ａ温度及び第２ｂ温度が第２温度に含まれるものとし、第２ａ温度＜第２ｂ温度＜第１ａ温度＜第１ｂ温度＜第１ｃ温度＜第１ｄ温度とする。そして、第２ａ温度よりも室内熱交換器１６の温度が高くなったときに、第１風量から第３風量を選択できるように第２冷風抑制制御の一部の風量制限を解除する。さらに、第２ｂ温度よりも室内熱交換器１６の温度が高くなったときに、全ての第２冷風抑制制御の風量制限をさらに解除する。
【００６６】
なお、風量制限の解除には、ユーザが選択可能な風量、ここでは第１風量から第５風量の全てを一度に選択可能にする解除及び、段階的に選択可能な風量を増やしていって最後に全て選択可能にするような完全な解除だけでなく、一部のみしか選択可能にしないような部分的な解除も含まれる。なお、部分的な解除には、一度に一部のみを選択可能にして終了する解除だけでなく、段階的に選択可能な風量を増やして行くがしかし最後まで選択できない風量を残すような解除の仕方も含まれる。
【００６７】
（５）特徴
（５−１）
上記実施形態の空気調和機１では、室内熱交換器１６が第１温度になるまで室内ファン３１の風量を制限する第１冷風抑制制御と、第１温度よりも低い第２温度になったときに室内ファン３１の風量の制限を解除する第２冷風抑制制御とを有している。そして、制御部５０は、冷風感の抑制を優先したい状況では第１冷風抑制制御を用い、室温上昇の促進を優先したい状況では第２冷風抑制制御を用いることができるように構成されている。そのため、第１冷風抑制制御を用いることで冷風感の抑制を図ることを優先することができ、第２冷風抑制制御を用いることで室温上昇の促進を図ることを優先することができる。その結果、従来に比べて、本実施形態の空気調和機１では、冷風感の抑制と室温上昇の促進の効果が向上している。
【００６８】
上記実施形態では、室内熱交換器１６が第１温度になるまで室内ファン３１の風量を制限する第１冷風抑制制御の例として、第１温度で風量の制限が解除される場合について説明した。しかし、第１冷風抑制制御は、室内熱交換器１６が第１温度になるまで室内ファン３１の風量が制限される制御であればよく、第１温度で風量の制限が解除される制御に限られるものではない。
【００６９】
（５−２）
第１冷風抑制制御と第２冷風抑制制御とが、第２開始条件という選択条件に応じて選択されることから、冷風感の抑制を優先したい状況で第１冷風抑制制御が選択され、室温上昇の促進を優先したい状況で第２冷風抑制制御が選択されるように選択条件を予め設定することができている。例えば、水平フラップ６４，６５が「天井気流」の風向が選択された状態でないときには第１冷風抑制制御が選択され、水平フラップ６４，６５が「天井気流」の風向が選択された状態で且つ他の第２開始条件を満たしているときには第２冷風抑制制御が選択される。水平フラップ６４，６５が「天井気流」の風向が選択された状態であって、十分に冷風感の抑制ができるときには比較的冷たい調和空気が吹き出す第２冷風抑制制御によって風量制限を低い温度で解除し、水平フラップ６４，６５が「天井気流」の風向に対応しない状態であって、十分な冷風感の抑制がし難いときには第１冷風抑制制御によって風量制限を高い温度で解除するという選択ができている。その結果、冷風感の抑制と室温上昇の促進を容易に実現することができている。
【００７０】
（５−３）
選択条件である第２開始条件が、目標室温Ｔｔと室温Ｔｒとの温度差（Ｔｔ−Ｔｒ）が閾値より大きいという条件を、第２冷風抑制制御を選択するための条件として含む場合には、温度差が小さくて能力要求が小さい時には第２冷風抑制制御が行われないような構成となる。温度差（Ｔｔ−Ｔｒ）が小さいときには、ユーザは、速く室温Ｔｒを上げたいという欲求が小さくなる。このように、既に室内ＲＳが暖かくて早急に暖める必要性の小さいときに第２冷風抑制制御を行わないことによって、冷風感の抑制の効果を向上させることに重点を置くことができ、ユーザの快適性を向上させることができている。
【００７１】
（５−４）
例えば水平フラップ６４，６５がスイングをしていないという条件を、第２冷風抑制制御を選択するための選択条件である第２開始条件として含む場合には、水平フラップ６４，６５がスイングして広範囲に吹出しているときには第２冷風抑制制御が行われない。このような制御によって、室内ＲＳにユーザが居るときに第２冷風抑制制御が行われたとしてもユーザに調和空気が直接当たるのを抑制することができる。もしも第２冷風抑制制御を選択するために水平フラップ６４，６５のスイングを止めるという制御を行うと、故障したとユーザが誤解する可能性が高くなる。スイングをしていないことを条件とすることでスイングをとめないような制御をすることで、そのような誤解を招かないようにすることができる。なお、水平フラップ６４，６５だけでなく、垂直フラップ６３がスイングをしないという条件を第２開始条件に含めてもよい。また、水平フラップは、２枚の水平フラップ６４，６５に限られるものではなく、１枚でもよく、また３枚以上であってもよい。
【００７２】
（５−５）
選択条件である第２開始条件が、水平フラップ６４，６５が所定の角度Ａｎ１よりも上に向いているという条件を、第２冷風抑制制御を選択するための条件として含む場合には、所定の角度Ａｎ１以下の時には第２冷風抑制制御が行われない。そこで、所定の角度Ａｎ１を室内ＲＳに居るユーザに調和空気が当たらないように設定しておくことで、室内ＲＳにユーザが居るときに第２冷風抑制制御が行われたとしてもユーザに比較的冷たい調和空気が直接当たるのを抑制することができ、冷風感の抑制機能を向上させることができる。
【００７３】
（５−６）
水平フラップ６４，６５の所定の角度が水平方向または水平方向よりも上に調和空気が吹出される角度であるという条件を、選択条件である第２開始条件として含む場合には、第２冷風抑制制御が行われるときに、調和空気が水平方向または水平方向よりも上に吹出される。その結果、例えば室内機３が高い位置にあれば室内に居るユーザが立ち上がっているときに第２冷風抑制制御が行われたとしてもユーザに調和空気が直接当たらないように設定することができ、冷風感の抑制機能を向上させることができる。
【００７４】
（５−７）
選択条件である第２開始条件が、水平フラップ６４，６５の所定の角度が、吹出された調和空気が天井に沿う角度であるという条件を含む場合には、第２冷風抑制制御が行われるときには、吹出された調和空気が天井に沿う。その結果、立ち上がったユーザが室内に居るときに第２冷風抑制制御が行われたとしてもユーザに調和空気が直接当たるのを抑制することができ、冷風感の抑制機能を向上させることができる。
【００７５】
（６）変形例
（６−１）変形例１Ａ
上記実施形態では、第１冷風抑制制御と第２冷風抑制制御の２種類の冷風抑制制御を有する場合について説明したが、さらに他の冷風抑制制御を有していてもよい。例えば、室内熱交換器１６の温度が第２温度よりも低い第３温度になったときに室内ファン３１の風量の制限を解除する第３冷風抑制制御をさらに有していてもよい。室内熱交換器の温度が第２温度よりも低い第３温度になったときに室内ファンの風量の制限を解除する第３冷風抑制制御をさらに有するので、第２冷風抑制制御よりもさらに室温上昇の促進を優先したい状況では第３冷風抑制制御を用いて早急に室温の上昇を図ることができる。
【００７６】
空気調和機１の制御において、例えば、図９に示されているように、図８に示したフローの一部を変更して、第３冷風抑制制御を追加してもよい。図８のフローのステップＳ３とステップＳ４の間において、第３開始条件を満たしているか否かを判断する（ステップＳ１１）。そして、第３開始条件を満たしていれば、第３冷風抑制制御に入る（ステップＳ１２）。もし、第３開始条件を満たしていなければ、ステップＳ４に進み、第２冷風抑制制御に入って、既に説明したようにステップＳ２からステップＳ５までのルーチンを繰り返す。
【００７７】
第３冷風抑制制御が開始されると、次に室内熱交換器１６が第３温度になったか否かが判断される（ステップＳ１３）。室内熱交換器１６が第３温度になったら、ステップＳ１４に進み、風量制限が解除される。ステップＳ１４の動作が終わると次にステップＳ９に進む。また、室内熱交換器１６の温度第３温度に到達していなければステップＳ２に進む。ステップＳ９又はステップＳ２に進んだ後の動作については、既に説明した図８に示されたフローの動作と同じになるので説明を省略する。
【００７８】
第２開始条件に、例えば風向が「天井気流」又は「上吹き」になっているという条件が含まれ、第３開始条件に、例えば風向が「天井気流」になっているという条件が含まれるように制御部５０の制御がプログラムされているものとする。つまり、第３冷風抑制制御は、第２冷風抑制制御よりも室温上昇の促進に重点が置かれた制御である。そのため、室内熱交換器１６の温度が第２温度よりも低い第３温度に達した時点で、例えば第１風量乃至第５風量を選択できるように風量制限を解除する（ステップＳ１４）。
【００７９】
このように、室内熱交換器１６の温度が第２温度よりも低い第３温度になったときに室内ファン３１の風量の制限を解除する第３冷風抑制制御を空気調和機１がさらに有すると、第２冷風抑制制御よりもさらに室温上昇の促進を優先したい状況では第３冷風抑制制御を用いて早急に室温の上昇を図ることができる。第３冷風抑制制御を設けて室温上昇を促進する機能を向上させる一方で、第３冷風抑制制御に入る条件を第２冷風抑制制御に入る条件よりも冷風感の抑制が容易な場合に限ることで、冷風感の抑制と室温上昇の促進の両立を図ることができている。
【００８０】
（６−２）変形例１Ｂ
上記実施形態では、空気調和機１が暖房専用に構成されていたが、空気調和機１は、図１０及び図１１に示されているように、例えば四路切換弁１２が追加されて、暖房と冷房とが切り換えられるように構成されてもよい。図１０のように構成された空気調和機１では、圧縮機１１は、内部で圧縮した冷媒を吐出口から四路切換弁１２の第１ポートに対して吐出する。四路切換弁１２は、第１ポート以外に、室外熱交換器１３に接続された第２ポートと、アキュムレータ１５に接続された第３ポートと、室内熱交換器１６に接続された第４ポートとを有する。四路切換弁１２は、空気調和機１が暖房運転をするときに、第１ポートと第４ポートとの間で冷媒を流通させると同時に第２ポートと第３ポートの間で冷媒を流通させる（破線で示された状態になる）。また、空気調和機１が冷房運転をするとき及び逆サイクルデフロスト運転をするとき、四路切換弁１２は、第１ポートと第２ポートの間で冷媒を流通させると同時に第３ポートと第４ポートの間で冷媒を流通させる（実線で示された状態になる）。
【００８１】
このように、暖房運転と冷房運転とが選択できる場合には、図８に示されているフローの第１開始条件に、暖房運転が選択されていることという条件が例えばＡＮＤ条件として含まれていればよい。室外制御装置２６が四路切換弁１２を制御するので、制御部５０は、室外制御装置２６から暖房運転と冷房運転のいずれが現在行われているのかを示す情報を得ることができる。
【００８２】
（６−３）変形例１Ｃ
上記実施形態では、第１冷風抑制制御が行われているとき又は第２冷風抑制制御が行われているときに、状況が変化して第１開始条件又は第２開始条件に関する判断が変わると、冷風抑制制御の変更を許容するように構成されている。しかし、第１冷風抑制制御と第２冷風抑制制御の選択の仕方は、上記実施形態の遣り方に限られるものではない。例えば、図１２に示されているようにフローの一部を変更してもよい。図１２に示されているフローでは、ステップＳ５，Ｓ８での判断が「Ｎｏ」のときにステップＳ４，Ｓ７に戻るように構成されており、一旦第１冷風抑制制御又は第２冷風抑制制御の制御に入ったときには、室内熱交換器１６の温度が第１温度に達するまで又は第２温度に達するまではそれぞれの制御を続ける。
【符号の説明】
【００８３】
１  空気調和機
２  室外機
３  室内機
１０  冷媒回路
１１  圧縮機
１２  四路切換弁
１３  室外熱交換器
１４  膨張機構
１６  室内熱交換器
２１  室外ファン
３１  室内ファン
３２  室内温度センサ
３３  室内熱交換器温度センサ
６３  垂直フラップ
６４，６５  水平フラップ
【先行技術文献】
【特許文献】
【００８４】
【特許文献１】特開平９-３０３８４４号公報